(57)【要約】  デッドフロント製品の実施形態が提供されている。デッドフロント製品は、第１の面および第２の面を有する基板を有する。デッドフロント製品は、基板の第２の面に配置された半透明層も有する。半透明層は、単色の領域または２つ以上の色のデザインの領域を有し、半透明層は第１の光学濃度を有する。さらに、デッドフロント製品は、領域に配置されたコントラスト層を有する。コントラスト層は、半透明層の色の可視性を高めるように構成されている。
2020533703.tif 000002
【特許請求の範囲】
【請求項１】
デッドフロント製品であって、
基板であって、第１の面と、該第１の面と反対側の第２の面とを有する基板と、
単色の領域または２つ以上の色のデザインの領域を有する、前記基板の前記第２の面の少なくとも第１の部分に配置された半透明層と、
前記領域の少なくとも一部に配置されたコントラスト層であって、前記領域の色の可視性を高めるようにまたは前記コントラスト層が配置されている前記領域の部分における前記領域のデザインの色間のコントラストを高めるように構成されているコントラスト層と、
を備える、デッドフロント製品。
【請求項２】
前記半透明層は、ＣＭＹＫ色モデルを使用してインクジェットプリンタによって前記基板の前記第２の面に印刷されている、請求項１記載のデッドフロント製品。
【請求項３】
前記コントラスト層の色は、白またはグレーである、請求項１または２記載のデッドフロント製品。
【請求項４】
前記基板の前記第２の面は、前記コントラスト層が配置されている第２の部分を有する、請求項１から３までのいずれか１項記載のデッドフロント製品。
【請求項５】
前記コントラスト層は、白であり、ＩＳＯ  １１４７５：２００４に従って測定された２０Ｗ以上の白色度を有する、請求項１から４までのいずれか１項記載のデッドフロント製品。
【請求項６】
前記半透明層は、前記第２の面と前記コントラスト層との間に配置されている、請求項１から５までのいずれか１項記載のデッドフロント製品。
【請求項７】
前記半透明層および前記コントラスト層の組合せは、約４００ｎｍ〜約７００ｎｍの波長範囲にわたって約５％〜約３０％の範囲の平均光透過率を有する、請求項１から６までのいずれか１項記載のデッドフロント製品。
【請求項８】
前記コントラスト層の少なくとも一部に配置された高光学濃度層をさらに備え、前記コントラスト層が、前記高光学濃度層と前記半透明層との間に配置されている、請求項１から７までのいずれか１項記載のデッドフロント製品。
【請求項９】
前記基板は、第１の曲率半径を有するように湾曲させられている、請求項１から８までのいずれか１項記載のデッドフロント製品。
【請求項１０】
請求項１から９までのいずれか１項記載のデッドフロント製品と、
使用者による接触に応答するように構成された、前記少なくとも１つのアイコンの背後に配置されたタッチパネルと、
を備える、装置。
【発明の詳細な説明】
【関連出願】
【０００１】
本願は、２０１８年９月１１日に出願された米国特許仮出願第６２／７２９６９５号明細書、２０１８年６月１日に出願された米国特許仮出願第６２／６７９２７８号明細書および２０１７年９月１２日に出願された米国特許仮出願第６２／５５７５０２号明細書の、米国特許法第１１９条の下での優先権の利益を請求し、各明細書の内容は、引用によりそれらの全体が援用されかつ本明細書に組み込まれる。
【技術分野】
【０００２】
本開示は、ディスプレイ用のデッドフロント製品、特に、ディスプレイ用のデッドフロント製品を含む車両インテリアシステムおよびこれを形成する方法に関する。
【背景技術】
【０００３】
ディスプレイを含む様々な用途では、デッドフロント外観を有するディスプレイ表面または機能的表面を有することが望まれる。一般に、デッドフロント外観は、ディスプレイ領域と非ディスプレイ領域との間または製品のデッドフロント領域と非デッドフロント領域またはその他の表面との間に継ぎ目のない移行部が存在するように、ディスプレイまたは機能的表面を隠す方法である。例えば、ガラスまたはプラスチックのカバー表面を有する典型的なディスプレイでは、ディスプレイがオフにされているときもディスプレイの縁部（またはディスプレイ領域から非ディスプレイ領域への移行部）を見ることができる。しかしながら、美的な外観またはデザインの観点から、ディスプレイがオフのとき、ディスプレイ領域と非ディスプレイ領域とが互いに識別不能なものとして存在し、カバー表面が、統一された外観を呈するようなデッドフロント外観を有することが望まれることが多い。デッドフロント外観が望まれる１つの用途は、車載ディスプレイまたはタッチインターフェースを含む自動車インテリア、およびモバイルデバイスおよび家電製品を含む消費者モバイルまたはホームエレクトロニクスにおけるその他の用途である。しかしながら、良好なデッドフロント外観と、ディスプレイがオンであるときの高品質のディスプレイとの両方を達成することは困難である。
【発明の概要】
【０００４】
１つの態様において、本開示の実施形態は、デッドフロント製品に関する。デッドフロント製品は、基板、半透明層およびコントラスト層を有する。基板は、第１の面と、第１の面と反対側の第２の面とを有する。半透明層は、基板の第２の面の少なくとも第１の部分に配置されている。さらに、半透明層は、単色の領域または２つ以上の色のデザインの領域を有する。コントラスト層は、領域の少なくとも一部に配置されている。コントラスト層は、領域の色の可視性を高めるように、またはコントラスト層が配置されている領域の部分における、領域のデザインの色間のコントラストを高めるように、構成されている。
【０００５】
別の態様において、デッドフロント製品を組み込んだ装置の実施形態が提供される。装置は、基板と、基板の第１の面に配置された半透明層と、半透明層の少なくとも一部に配置されたコントラスト層と、コントラスト層の少なくとも一部に配置された高光学濃度層とを有するデッドフロント製品を有する。高光学濃度層は、少なくとも１つのアイコンを少なくとも部分的に形成している。装置は、少なくとも１つのアイコンの背後に配置されたタッチパネルをさらに有する。
【０００６】
本開示の別の実施形態は、ディスプレイ用の湾曲したデッドフロント製品を形成する方法に関する。方法は、湾曲した面を有する支持体において、ガラス層を有するデッドフロント製品を湾曲させるステップと、デッドフロント製品が支持体の湾曲した面の湾曲した形状に一致するように、湾曲したデッドフロント製品を支持体に固定するステップと、を含む。デッドフロント製品を湾曲させかつ固定する間、デッドフロント製品の最大温度は、ガラス層のガラス転移温度未満である。さらに、デッドフロント製品は、ガラス層の第１の面に配置された半透明層と、コントラスト層とを有する。半透明層は、単色の領域または２つ以上の色のデザインの領域を有し、コントラスト層は、領域の少なくとも一部に配置されている。コントラスト層は、領域の色の可視性を高めるように、またはコントラスト層が配置されている領域の部分における、領域のデザインの色間のコントラストを高めるように、構成されている。
【０００７】
付加的な特徴および利点は、以下の詳細な説明に示され、一部は、その説明から当業者に容易に明らかになりまたは以下の詳細な説明、請求項および添付の図面を含む本明細書に説明されている実施形態を実施することによって認識される。
【０００８】
前記の概略的な説明および以下の詳細な説明の両方は単に例示的であり、請求項の性質および特性を理解するための概略または枠組みを提供することが意図されていることが理解されるべきである。添付の図面は、さらなる理解を提供するために含まれており、本明細書の一部に組み込まれておりかつ本明細書の一部を構成する。図面は、１つ以上の実施形態を示しており、説明と共に、様々な実施形態の原理および操作を説明するために機能する。
【図面の簡単な説明】
【０００９】
【図１】本明細書において説明された実施形態のうちの１つ以上によるデッドフロント製品を利用した車両インテリアシステムを備える車両インテリアの斜視図である。
【図２】１つの典型的な実施形態による、ディスプレイが消灯された単色デッドフロント製品を備えるディスプレイを示している。
【図３】１つの典型的な実施形態による、ディスプレイが点灯された図２のデッドフロント製品を備えるディスプレイを示している。
【図４】１つの典型的な実施形態による、ディスプレイが消灯された、パターン化されたデッドフロント製品を備えるディスプレイを示している。
【図５】１つの典型的な実施形態による、ディスプレイが点灯された図４のデッドフロント製品を備えるディスプレイを示している。
【図６】１つの典型的な実施形態による、半透明層およびコントラスト層を有するディスプレイのためのデッドフロント製品の縦断面図である。
【図７】１つの典型的な実施形態による、機能表面層および不透明層を有するディスプレイのためのデッドフロント製品の別の縦断面図である。
【図８】１つの典型的な実施形態による、デッドフロント製品を有するＬＥＤディスプレイの縦断面図である。
【図９】１つの典型的な実施形態による、デッドフロント製品を有するＤＬＰ  ＭＥＭＳチップの縦断面図である。
【図１０】１つの典型的な実施形態による、タッチスクリーン機能を備えるデッドフロントディスプレイの縦断面図である。
【図１１】１つの典型的な実施形態による、車両インテリアのための革シボデッドフロントディスプレイである。
【図１２】１つの典型的な実施形態による、車両インテリアのための木目調デッドフロントディスプレイである。
【図１３Ａ】半透明層が印刷されたガラス層の前側を示している。
【図１３Ｂ】半透明層が印刷されたガラス層の裏側を示している。
【図１４Ａ】１つの典型的な実施形態による、半透明層およびコントラスト層が印刷されたガラス層の前側を示している。
【図１４Ｂ】１つの典型的な実施形態による、半透明層およびコントラスト層が印刷されたガラス層の裏側を示している。
【図１５】１つの典型的な実施形態による、ガラスシートに印刷された、可変白色度のコントラスト層を示している。
【図１６】１つの典型的な実施形態による、可変透過率のコントラスト層のための透過率のグラフである。
【図１７】１つの典型的な実施形態による、デッドフロント製品のための、４つの異なるパターンの半透明層を示している。
【図１８】１つの典型的な実施形態による、革シボから黒単色へ移行する半透明層を有するデッドフロント製品を示している。
【図１９】デッドフロント製品のためのニットパターンの半透明層を示している。
【図２０】１つの典型的な実施形態による、デッドフロント製品のためのニットパターンの半透明層を示しており、ニットパターンの半透明層の背後にコントラスト層が印刷されている。
【図２１】１つの典型的な実施形態による、コントラスト層に窓を備える、大理石パターンの半透明層を有するデッドフロント製品の前側を示している。
【図２２】１つの典型的な実施形態による、コントラスト層に窓を備える、大理石パターンの半透明層を有するデッドフロント製品の裏側を示している。
【図２３】１つの典型的な実施形態による、ディスプレイと共に使用するための、湾曲したガラスデッドフロント製品の側面図である。
【図２４】１つの典型的な実施形態による、湾曲形成の前の図６のガラスデッドフロント製品のためのガラス層の前方斜視図である。
【図２５】１つの典型的な実施形態による、湾曲したディスプレイフレームに合致するように成形されたガラス層を有する、湾曲したデッドフロント製品を示している。
【図２６】１つの典型的な実施形態による、ガラス層を含むデッドフロント製品を湾曲した形状に冷間成形するためのプロセスを示している。
【図２７】１つの典型的な実施形態による、湾曲したガラス層を含む湾曲したデッドフロント製品を形成するためのプロセスを示している。
【図２８】１つの典型的な実施形態による、デッドフロント製品の層の分解図である。
【図２９】１つの典型的な実施形態による、木目調デッドフロント製品を示している。
【図３０】１つの典型的な実施形態による、照明された裏側を有する木目調デッドフロント製品を示している。
【図３１】１つの典型的な実施形態による、照明された裏側および異なる色のアイコンを有する木目調デッドフロント製品を示している。
【図３２】不透明率が高すぎる、炭素繊維パターンデッドフロント製品を示している。
【図３３】照明された裏側を有する図３２のデッドフロント製品を示しており、高レベルの不透明率がアイコンを分かりにくくすることを実証している。
【図３４】１つの典型的な実施形態による、開示された範囲内の不透明率を有する、炭素繊維パターンデッドフロント製品を示している。
【図３５】照明された裏側を有する図３４のデッドフロント製品を示しており、アイコンのより良い可視性を実証している。
【図３６】１つの典型的な実施形態による、タッチパネルを有するデッドフロント製品を示している。
【発明を実施するための形態】
【００１０】
全体的に図面を参照すると、車両インテリアシステムは、湾曲したディスプレイ表面などの、透明であるように設計された様々な異なる湾曲した表面を有してもよく、本開示は、これらの湾曲した表面を形成するための製品および方法を提供する。１つ以上の実施形態において、このような表面は、ガラス材料またはプラスチック材料から形成されている。ガラス材料から湾曲した車両表面を形成することは、車両インテリアにおいて従来見られる典型的な湾曲したプラスチックパネルと比較して多くの利点を提供することがある。例えば、ガラスは、一般的に、プラスチックカバー材料と比較して、ディスプレイ用途およびタッチスクリーン用途などの、多くの湾曲したカバー材料用途のための高められた機能性およびユーザエクスペリエンスを提供すると考えられる。
【００１１】
さらに、デッドフロント外観を備えるディスプレイ、特に車両インテリアシステムのためのディスプレイを装備することが多くの用途において望ましいと考えられる。概して、デッドフロント外観は、ディスプレイがオフのとき、下にあるディスプレイコンポーネント、アイコン、グラフィックなどの可視性を遮断するが、ディスプレイがオンのときまたは作動させられたとき（タッチイネーブル式ディスプレイの場合）、ディスプレイコンポーネントが容易に見えるようにする。加えて、デッドフロント効果を提供する製品（すなわち、デッドフロント製品）は、デッドフロント製品から周囲のコンポーネントへの移行部の可視性を排除するために製品の色またはパターンを隣接するコンポーネントと適合させるために使用することができる。これは、デッドフロント製品が周囲のコンポーネントと異なる材料であるときに特に有効である可能性がある（例えば、デッドフロント製品は、ガラス材料から形成されているが、革で被覆されたセンターコンソールによって包囲されている）。例えば、デッドフロント製品は、ディスプレイの外観を、ディスプレイが取り付けられている車両インテリアシステムの周囲の木製または革製コンポーネント（例えば、木製または革製のダッシュボード）と適合させるために革パターンを使用することができる木目調パターンまたは革パターンを有してもよい。
【００１２】
本開示の様々な実施形態は、冷間成形または冷間曲げプロセスを利用する、湾曲したガラスベースのデッドフロント製品の形成に関する。本明細書において説明するように、典型的なガラス熱間成形プロセスの欠点を回避する、湾曲したガラスベースのデッドフロント製品およびこれを形成するためのプロセスが提供される。例えば、熱間成形プロセスは、大きなエネルギを必要とし、本明細書において説明される冷間曲げプロセスに対して、湾曲したガラスコンポーネントを形成するコストを増大させる。加えて、熱間成形プロセスは、一般的に、デッドフロントインクまたは顔料層などのガラスコーティング層の適用をより困難にする。例えば、インクまたは顔料材料は、一般的に、熱間成形プロセスの高温に耐えることができないので、熱間成形プロセスの前にガラス材料の平坦なピースに多くのインクまたは顔料材料を塗布することはできない。さらに、熱間曲げの後での湾曲したガラス製品の表面へのインクまたは顔料材料の塗布は、平坦なガラス製品への塗布よりも実質的により困難である。
【００１３】
図１は、１つの典型的な実施形態による、３つの異なる車両インテリアシステム１００，２００，３００を有する車両インテリア１０を示している。車両インテリアシステム１００は、湾曲したディスプレイ１３０として示されたディスプレイを有する湾曲した表面１２０を備えるセンターコンソールベース１１０を有する。車両インテリアシステム２００は、湾曲したディスプレイ２３０として示されたディスプレイを有する湾曲した表面２２０を備えるダッシュボードベース２１０を有する。ダッシュボードベース２１０は、一般的に、インストルメントパネル２１５を有し、このインストルメントパネル２１５もまた湾曲したディスプレイを有してもよい。車両インテリアシステム３００は、湾曲した表面３２０と、湾曲したディスプレイ３３０として示されたディスプレイとを備える、ダッシュボードステアリングホイールベース３１０を有する。１つ以上の実施形態において、車両インテリアシステムは、アームレスト、ピラー、背もたれ、床板、ヘッドレスト、ドアパネル、または湾曲した表面を有する車両のインテリアのあらゆる部分であるベースを有してもよい。
【００１４】
本明細書に説明されるデッドフロント製品の実施形態は、車両インテリアシステム１００，２００および３００のうちのいずれかまたは全てにおいて使用することができる。図１は自動車インテリアを示しているが、車両インテリアシステムの様々な実施形態は、人間によって操縦される車両、半自律的車両および完全に自律的な車両を含む、電車、自動車（例えば、乗用車、トラック、バスなど）、船舶（ボート、船、潜水艦など）、航空機（例えば、ドローン、飛行機、ジェット、ヘリコプターなど）のあらゆるタイプの車両に組み込まれてもよい。さらに、本明細書における説明は、主に、車両ディスプレイにおいて使用されるデッドフロントの実施形態の使用に関するが、本明細書において説明される様々なデッドフロントの実施形態はあらゆるタイプのディスプレイ用途において使用されてもよいことが理解されるべきである。
【００１５】
図２および図３を参照すると、ディスプレイ１３０，２３０および／または３３０などの車両ディスプレイ用のデッドフロント製品４００が示されており、説明される。図２は、関連するディスプレイの光源が非作動であるときのデッドフロント製品４００の外観を示しており、図３は、関連するディスプレイの光源が作動しているときのデッドフロント製品４００の外観を示している。図３に示したように、光源が作動しているとき、グラフィック４１０および／または複数のアイコンが、デッドフロント製品を通じて見える。光源が非作動であるとき、グラフィック４１０は消え、デッドフロント製品４００は、グラフィック４１０によって途切れない所望の表面仕上げを示す表面（例えば、図２における黒い表面）を表示する。実施形態において、光源は、電源ボタン４２０を使用して作動させられる。図２および図３の実施形態に示したように、電源ボタン４２０は、点灯させられており、作動したときに赤色から緑色へ変化する。典型的な実施形態において、電源ボタン４２０は、ＩＥＣ  ６０４１７−５００７、ＩＥＣ  ６０４１７−５００８、ＩＥＣ  ６０４１７−５００９およびＩＥＣ６０４１７−５０１０のうちの１つに従うように選択される。
【００１６】
図４および図５は、ディスプレイ１３０，２３０および／または３３０などの車両ディスプレイ用のデッドフロント製品４００の別の実施形態を示している。図２の単色のデッドフロント製品４００と比較して、図４には、パターン化されたデッドフロント製品４００が示されている。図４に示したように関連するディスプレイの光源が非作動であるとき、デッドフロント製品４００のパターンのみを見ることができる。図５において、関連するディスプレイの光源は作動しており、デッドフロント製品４００を通じてアイコン４３０を見ることができる。したがって、光源が非作動であるとき、アイコン４３０は消え、デッドフロント製品４００は、アイコン４３０によって途切れない所望のパターンを示す表面（例えば、図４における革シボパターン）を表示する。
【００１７】
以下でより詳細に説明するように、デッドフロント製品４００は、外側基板と光源との間に配置された１つ以上の着色層を利用することによって、このディファレンシャルアイコンディスプレイを提供する。着色層の光学的特性は、光源がオフにされたとき、着色層の下のアイコンまたはその他のディスプレイ構造の境界は見えないが、光源がオンであるとき、グラフィック４１０および／またはアイコン４３０が見えるように設計されている。様々な実施形態において、本明細書において説明されたデッドフロント製品は、光源がオンであるときの高コントラストアイコンを含む高品質のデッドフロント外観を、ライトがオフであるときの均一なデッドフロント外観と組み合わせて提供するように設計されている。さらに、出願人は、これらの様々なデッドフロント製品に、以下で説明するように、複雑な湾曲した形状を含む湾曲した形状に冷間成形するのに適した材料を提供する。
【００１８】
ここで図６を参照すると、デッドフロント製品４００の構造の１つの実施形態が示されている。特に、デッドフロント製品４００は、少なくとも、基板４５０と、半透明層４６０と、コントラスト層４７０とを有する。基板４５０は、見る人に面した外側面４８０と、内側面４９０とを有し、内側面４９０には、半透明層４６０および／またはコントラスト層４７０が少なくとも部分的に配置されている。本明細書において使用されるとき、「配置する」という用語は、技術分野において公知のあらゆる方法を用いて面に材料を被覆、堆積および／または形成することを含む。配置された材料は、本明細書において規定されるように、層を構成してもよい。本明細書において使用されるとき、「〜に配置される」という語句は、材料が面と直接接触するように材料を面上に形成する例を含み、かつまた配置される材料と面との間に１つ以上の介在する材料が存在するように材料が面に形成される例を含む。介在する材料は、本明細書において規定されるように、層を構成してもよい。「層」という用語は、１つの層を含んでもよいまたは１つ以上の副層を含んでもよい。このような副層は互いに直接接触していてもよい。副層は、同じ材料または２つ以上の異なる材料から形成されていてもよい。１つ以上の代替的な実施形態において、このような副層は、副層の間に配置された異なる材料の介在する層を有してもよい。１つ以上の実施形態において、層は、１つ以上の隣接した中断していない層および／または１つ以上の不連続な中断した層（すなわち、互いに隣接して形成された異なる材料を有する層）を含んでもよい。層または副層は、個別の堆積または連続的な堆積プロセスを含む、技術分野において公知のあらゆる方法によって形成されてもよい。１つ以上の実施形態において、層は、連続的な堆積プロセスのみを用いて、または代替的に個別の堆積プロセスのみを用いて形成されてもよい。
【００１９】
基板４５０の特性が以下でより詳細に説明されるが、実施形態において、基板４５０は、０．０５〜２．０ｍｍの厚さを有する。１つ以上の実施形態において、基板は、ＰＭＭＡ、ポリカーボネートなどの透明なプラスチックであってもよいまたは（選択的に強化されていてもよい）ガラス材料を含んでもよい。やはり以下でより詳細に説明するように、実施形態において、半透明層４６０は、基板４５０の内側面４９０の少なくとも一部に印刷されてもよい。その他の実施形態において、半透明層４６０は、非導電真空蒸着を使用して堆積させられる。さらに、実施形態において、コントラスト層４７０は、基板４５０の内側面４９０の少なくとも一部および／または半透明層４６０の少なくとも一部に印刷される。
【００２０】
図７に示したようなある実施形態において、デッドフロント製品４００は、機能的表面層５００および／または不透明層５１０（「高光学濃度層」とも呼ばれる）も有する。機能的表面層５００は、様々な機能のうちの１つ以上を提供するように構成することができる。別の典型的な実施形態において、機能的表面層５００は、清掃容易性能、眩惑防止特性、反射防止特性および／またはハーフミラーコーティングを提供するように構成された光学的コーティングである。このような光学的コーティングは、１つの層または複数の層を使用して形成することができる。反射防止機能的表面層の場合、このような層は、高い屈折率と低い屈折率とが交互に位置した複数の層を使用して形成されてもよい。低屈折率材料の限定しない例は、ＳｉＯ2、ＭｇＦ2およびＡｌ2Ｏ3を含み、高屈折率材料の限定しない例は、Ｎｂ2Ｏ5、ＴｉＯ2、ＺｒＯ2、ＨｆＯ2およびＹ2Ｏ3を含む。実施形態において、（眩惑防止表面または滑らかな基板表面上に配置されてもよい）このような光学的コーティングの総厚さは、５ｎｍ〜７５０ｎｍである。加えて、実施形態において、清掃容易性能を提供する機能的表面層５００は、タッチスクリーンのための向上した感覚および／または指紋を減じるためのコーティング／処理を提供する。幾つかの実施形態において、機能的表面層５００は、基板の第１の面と一体的である。例えば、このような機能的表面層は、眩惑防止表面（または例えば２％〜２０％の曇り）を提供する、基板４５０の第１の面におけるエッチングされた表面を含むことができる。機能的表面層５００は、設けられている場合、基板４５０、半透明層４６０およびコントラスト層４７０と共に、デッドフロント製品４００の半透明構造５２０を構成する。
【００２１】
以下でより詳細に説明するように、不透明層５１０は、光透過を遮断するための高光学濃度を有する。本明細書において使用されるとき、「不透明層」は、「高光学濃度層」と互換的に用いられる。実施形態において、不透明層５１０は、デッドフロント製品４００のある領域を光が透過することを遮断するために使用される。ある実施形態において、不透明層５１０は、デッドフロント製品４００の作動のために設けられた機能的エレメントまたは非装飾的エレメントを見えにくくする。その他の実施形態において、不透明層５１０は、（図２および図３に示されたグラフィック４１０および／または電源ボタン４２０および図５に示されたアイコン４３０などの）背面照明されるアイコンおよび／またはその他のグラフィックの輪郭を示すために設けられており、これにより、このようなアイコンおよび／またはグラフィックの縁部におけるコントラストを高める。したがって、実施形態において、不透明層５１０は、グラフィック４１０、電源ボタン４２０および／またはアイコン４３０のための窓を形成する、層における断続部を有する。すなわち、実施形態において、不透明層５１０は、グラフィック４１０、電源ボタン４２０および／またはアイコン４３０のための周囲の縁部に達するまで連続的に延びている。このような周縁部において、不透明層５１０は途切れているまたは幾つかの実施形態において、光学濃度を実質的に減じる（例えば、材料の厚さを小さくする、材料密度を減じるなど）。実施形態において、不透明層５１０は、例えば、ある電源ボタン４２０の「Ｉ」および「Ｏ」を形成するなど、グラフィック４１０、電源ボタン４２０および／またはアイコン４３０の特徴を形成するためにグラフィック４１０、電源ボタン４２０および／またはアイコン４３０の領域において断続的に再び始まる。したがって、実施形態において、不透明層５１０は、基板４５０の外側面４８０を通じて使用者に見えるグラフィック４１０、電源ボタン４２０および／またはアイコン４３０の部分が不透明層５１０のブランク領域であることにより、グラフィック４１０、電源ボタン４２０および／またはアイコン４３０のイメージネガを形成している。
【００２２】
不透明層５１０は、あらゆる色であることができるが、特定の実施形態において、不透明層５１０は、黒またはグレーである。実施形態において、不透明層５１０は、基板４５０の半透明層４６０および／または内側面４９０上にスクリーン印刷またはインクジェット印刷によって提供される。概して、インクジェット印刷された不透明層５１０の厚さは、１μｍ〜５μｍであるのに対し、スクリーン印刷された不透明層５１０の厚さは、５μｍ〜２０μｍである。したがって、印刷された不透明層５１０は、１μｍ〜２０μｍの範囲の厚さを有することができる。しかしながら、その他の実施形態において、不透明層５１０は、物理蒸着法によって堆積された金属層であるかつ／またはカラーマッチングのために上述の高屈折率／低屈折率スタッキングを用いて製造された光学的スタックである。
【００２３】
図２８は、１つの実施形態におけるデッドフロント製品４００を有する層の分解図を示している。見ることができるように、層は、基板４５０、半透明層４６０、コントラスト層４７０、不透明層５１０およびカラー層６５０を含む。図２８に見ることができるように、半透明層４６０は、木目調パターンであり、不透明層５１０は、例えば、電源ボタン４２０、チューニング制御、音量制御、プリセットなどの、エンターテイメントコンソールのためのアイコン４３０のネガイメージを提供している。半透明層４６０、コントラスト層４７０および不透明層５１０の組合せは、図２９および図３０に示したようにデッドフロント製品４００を提供する。図２９において、半透明層４６０の木目調は、デッドフロント製品４００が背面照明されていないときに見られ、デッドフロント製品４００が背面照明されたとき、アイコン４３０は、デッドフロント製品４００の外側面４８０を通じて見ることができる。再び図２８を参照すると、カラー層６５０が（少なくともアイコン４３０の領域において）不透明層５１０に重なって配置されている場合、図３１に示したようにアイコン４３０の色を変化させることができる。さらに、単色層６５０が図２８に示されているのに対し、カラー層６５０は、図３１に示された、層にわたる複数の色および／または特定のアイコン４３０またはアイコン４３０の部分の領域における特定の色を含むことができる。これにより、幾つかの実施形態において、カラー層６５０は連続的な層であり、その他の実施形態において、カラー層６５０は不連続であり、すなわち、色は、アイコン４３０を規定する領域において、不透明層５１０および／またはコントラスト層４７０にわたる所定の位置にのみ提供されている。
【００２４】
実施形態において、層の光学濃度は、デッドフロント製品４００が背面照明されているときのグラフィック４１０、電源ボタン４２０および／またはアイコン４３０の可視性を高めるように調整される。特定の実施形態において、照明される領域（すなわち、グラフィック４１０、電源ボタン４２０および／またはアイコン４３０）における半透明層４６０およびコントラスト層４７０の組み合わされた光学濃度は、１．０〜２．１である。その他の実施形態において、組み合わされた光学濃度は１．２〜１．６であり、さらに別の実施形態では、組み合わされた光学濃度は、約１．４である。照明される領域の光学濃度を提供する場合、実施形態において、コントラスト層４７０の光学濃度は０．９〜２．０であり、実施形態において、半透明層４６０の光学濃度は０．１〜０．５である。照明されない領域（すなわち、グラフィック４１０、電源ボタン４２０および／またはアイコン４３０を包囲する領域）において、半透明層４６０、コントラスト層４７０および不透明層５１０の組み合わされた光学濃度は、少なくとも３．４である。照明されない領域の光学濃度を提供する場合、実施形態において、コントラスト層４７０の光学濃度は０．９〜２．０であり、実施形態において、半透明層４６０の光学濃度は０．１〜０．５であり、実施形態において、不透明層５１０の光学濃度は少なくとも２．４である。典型的な実施形態において、カラー層６５０の光学濃度は、０．３〜０．７である。さらに、実施形態において、特定の層の光学濃度は、高められたコントラストを提供するためにまたはインクもしくは層を含む材料を保つために、層にわたって変化していることができる。例えば、コントラスト層４７０における光学濃度は、照明されない領域より照明される領域において低いことができる。加えて、カラー層６５０の光学濃度は、照明される領域よりも照明されない領域において低い（またはゼロである）ことができる。
【００２５】
図３２および図３３と、図３４および図３５とは、異なるレベルの光学濃度を有する異なるデッドフロント製品を示しており、これにより、これらの図面は、照明される領域において光学濃度が高すぎるデッドフロント製品４００（図３２および図３３）と、光学濃度が、照明される領域に関して上述された範囲にあるデッドフロント製品４００（図３４および図３５）との異なる外観を示している。図３２に見られるように、デッドフロント製品は炭素繊維パターンを有し、この炭素繊維パターンにおいて、半透明層の光学濃度が高すぎる。これにより、図３３に見られるように、照明される領域が見えにくくなっている。比較して、図３４におけるデッドフロント製品４００には、上述の範囲内の光学濃度を有する半透明層４６０、コントラスト層４７０および不透明層５１０を有する炭素繊維パターンが提供されている。したがって、図３５に示したように、アイコン４３０は、大幅によりくっきりとしており、明確に見えている。やはり図３５に示したように、中央アイコン４３０は、カラー層６５０を使用して赤色が提供された電源ボタン４２０である。
【００２６】
図８および図９に示したように、デッドフロント製品４００は、ディスプレイ５３０上またはディスプレイ５３０の前側に配置されている。１つ以上の実施形態において、ディスプレイは、ディスプレイおよびタッチパネルを含むタッチ・イネーブルド・ディスプレイを含んでもよい。典型的なディスプレイは、ＬＥＤディスプレイ（図８）、ＤＬＰ  ＭＥＭＳチップ（図９）、ＬＣＤ、ＯＬＥＤ、透過性ディスプレイ、反射性ディスプレイなどを含む。実施形態において、ディスプレイ５３０は、例えば、光学的にクリアな接着剤５４０を使用してデッドフロント製品４００に固定されているまたは取り付けられている。デッドフロント製品４００は、可視スペクトル、すなわち４００ｎｍ〜７００ｎｍの波長にわたって約５％〜３０％の透過率を有する。言い換えれば、デッドフロント製品４００は、約４００ｎｍ〜約７００ｎｍの波長範囲全体にわたって約５％〜約３０％の範囲の平均光透過率を有する。本明細書において使用されるとき、「透過率」という用語は、ある材料（例えば、デッドフロント製品、基板またはその層）を透過させられる任意の波長範囲における入射光学的パワーの割合として定義される。実施形態において、デッドフロント製品４００は、可視スペクトル全体にわたって光透過率が１０％以下である低透過率デッドフロント製品である。このような例において、不透明層５１０は、ディスプレイ５３０のエッジ、すなわち、ディスプレイ境界部などの非ディスプレイ領域、および／または配線、コネクタなどを見えにくくするために必要ないことがある。その他の実施形態において、デッドフロント製品４００は、約１０％〜約３０％の平均透過率を有する高透過率デッドフロント製品である。このような実施形態において、不透明層５１０は、非ディスプレイ領域が見えることを阻止するために必要となることがある。
【００２７】
ある実施形態において、デッドフロント製品４００には、図１０に示したようにタッチ機能が提供されている。図１０において、デッドフロント製品４００は、基板４５０と、黒色半透明層４６０と、基板４５０および半透明層４６０の部分に配置されたコントラスト層４７０とを有する。この場合、コントラスト層４７０および半透明層４６０は、（例えば、図２および図３に示したような）電源ボタン４２０などのアイコンまたはグラフィックを形成している。１つの実施形態において、タッチ機能は、容量性センシングによって提供される。ある実施形態において、容量性センサは、透明な導電性フィルムまたはコーティング５５０によって形成される。１つの典型的な実施形態において、透明な導電性フィルム５５０は、透明な導電性酸化物（例えば、酸化インジウムスズ（ＩＴＯ））によってコーティングされたポリエステル（例えば、ＰＥＴ）フィルムである。
【００２８】
（例えば、透明な導電性フィルム５５０の領域においてデッドフロント製品４００に触れることによって）トグルスイッチを作動させることにより、光源５７０が作動させられるまたは作動停止させられる。図１０の実施形態において、光源５７０は、赤色ＬＥＤ５８０および緑色ＬＥＤ５９０を含む。車両などのあるセッティングにおいて、赤色ＬＥＤ５８０および緑色ＬＥＤ５９０は、デッドフロント製品４００の状態を示す。例えば、車両を作動させる前、赤色ＬＥＤ５８０および緑色ＬＥＤ５９０は両方とも、図１０の左側における電源ボタン４２０の状態の凡例の一番下に示したようにオフである。車両が作動させられたとき、電源ボタン４２０に触れる前、赤色ＬＥＤ５８０がオンであるのに対し、緑色ＬＥＤ５９０がオフであり（電源ボタン４２０の状態の凡例の一番上）、ディスプレイ５３０が作動していないことを示している。電源ボタン４２０に触れると、トグルスイッチ５６０が赤色ＬＥＤ５８０をオフにし、緑色ＬＥＤ５９０をオンにし、ディスプレイ５３０を作動させる。車両を引き続き作動させたまま使用者がディスプレイ５３０を作動停止させることを望むと、使用者は再び電源ボタン４２０に触れることができ、トグルスイッチ５６０は緑色ＬＥＤ５９０をオフにし、赤色ＬＥＤ５８０をオンにし、ディスプレイ５３０を切る。ある実施形態において、トグルスイッチ５６０が作動させられるたびに触覚的フィードバックを提供するために、振動モータ６００が設けられている。
【００２９】
ディスプレイ５３０のための電源ボタン４２０の典型的な実施形態が示されているが、タッチ機能はその他の特徴にも適している。引き続き車両の例において、タッチ機能は、とりわけ、クライメートコントロール（すなわち、暖房および空気調整）システム、ラジオ／エンターテイメントシステム、（例えば、速度計、オドメータ、トリップオドメータ、タコメータ、車両警告インジケータなどのための）ダッシュボードディスプレイパネル、（例えば、ＧＰＳディスプレイ、車載情報などのための）センターコンソールディスプレイパネルなどの、様々な車両システムを制御するために使用するのに適している。図１１において、デッドフロント製品４００は、速度計６１０およびクライメートコントロール６２０と共に示されている。デッドフロント製品４００は、革シボパターンを有する。図１２は、速度計６１０およびクライメートコントロール６２０を備える実質的に類似のデッドフロント製品４００を示しているが、デッドフロント製品４００は、木目調パターンを有する。
【００３０】
特定の実施形態において、基板４５０は、使用者の指に触覚的フィードバックを提供するためにボタンの領域において（例えば、サンドブラスト、エッチング、彫刻などによって）処理されている。これにより、使用者は、（道路車両セッティングにおいて）道路から目を離すことなくデッドフロント製品４００のボタンを感じることができる。さらに、実施形態において、トグルスイッチ５６０には、トグルスイッチ５６０の偶発的な作動を回避するために、例えば、１〜３秒の遅れが提供されている。
【００３１】
図３６は、タッチ機能を備えるデッドフロント製品４００の別の実施形態を示している。特に、デッドフロント製品４００は、タッチパネル６６０を有する。タッチパネル６６０は、抵抗性タッチパネル、容量性（例えば、表面または突出した）タッチパネル、表面音波タッチパネル、赤外線タッチパネル、光学イメージングタッチパネル、分散信号タッチパネルまたは音響パルス認識タッチパネルなどの、様々な適切なタッチパネルのうちのいずれかであることができる。実施形態において、タッチパネル６６０は、光学的にクリアな接着剤５４０を使用してデッドフロント製品４００に積層されている。その他の実施形態において、タッチパネル６６０は、光学的にクリアな接着剤５４０が不要であるように、デッドフロント製品４００に印刷されている。有利には、タッチパネル６６０は、三次元形状を提供するように冷間曲げ可能である。（タッチパネル６６０を含む）デッドフロント製品４００の冷間曲げは、さらに以下でより詳細に説明される。
【００３２】
デッドフロント製品４００の構造を概略的に説明したが、半透明層４６０およびコントラスト層４７０に注意を向ける。上述のように、半透明層４６０およびコントラスト層４７０は基板４５０に配置されている。実施形態において、半透明層４６０は、ＣＭＹＫ色モデルを使用して基板に印刷されている。グレーなど、コントラスト層が白ではない実施形態において、ＣＭＹＫ色モデルは、コントラスト層４７０を印刷するためにも使用することができる。コントラスト層４７０が白であるその他の実施形態において、コントラスト層４７０を印刷するために、白インクを含んだ色モデルを使用することができる。印刷された半透明層４６０および印刷されたコントラスト層４７０はそれぞれ、１μｍ〜６μｍの厚さを有する。実施形態において、カラー層６５０もまた、１μｍ〜６μｍの厚さを有する。実施形態において、コントラスト層４７０は、１μｍ〜１４μｍの厚さを有する。さらに、実施形態において、カラー層６５０は、不透明層５１０および／またはコントラスト層４７０に印刷されている。ある実施形態において、カラー層６５０は、ＣＭＹＫ色モデルを使用して不透明層５１０および／またはコントラスト層４７０に印刷されている。
【００３３】
半透明層４６０、コントラスト層４７０および／またはカラー層６５０を印刷するために使用されるインクは、熱硬化性インクまたはＵＶ硬化性インクであることができる。特に、インクは、少なくとも１つ以上の着色剤と、ビヒクルとから成る。着色剤は、ビヒクルに可溶性または不溶性であることができる。実施形態において、着色剤は、微粉末の形式の乾燥着色剤である。このような微粉末は、実施形態において、１０ｎｍ〜５００ｎｍのサイズの粒子を有する。ＣＭＹＫ色モデルを使用すると、着色剤は、シアン、マゼンタ、イエローおよび／またはキー（黒）の色を提供する。白色インクの場合、着色剤は、ＴｉＯ2、Ｓｂ2Ｏ3、ＢａＳＯ4、ＢａＳＯ4：ＺｎＳ、ＺｎＯおよび（ＰｂＣＯ3）2：Ｐｂ（ＯＨ）2などの、様々な適切な顔料のうちのいずれかであることができる。着色剤は、ビヒクルに溶解または懸濁させられている。
【００３４】
ビヒクルは、インクが塗布される表面への接着を生じるための結合剤として機能することができる。さらに、実施形態において、特にガラス／プラスチック表面への接着を高める目的でビヒクルに添加剤が含まれている。着色剤のためのビヒクルの限定しない例は、プロピレングリコールモノメチルエーテル、ジエチレングリコールジエチルエーテル、ジメチルアセトアミドおよびトルエンを含む。概して、このようなビヒクルは、８０℃〜２００℃の温度において固化する。実施形態において、インクは、０．５体積％〜６体積％の着色剤と、９４体積％〜９９．５体積％のビヒクルとを含む。
【００３５】
図１３Ａおよび図１３Ｂに示したように、革シボ半透明層４６０は、ＣＭＹＫ色モデルに従って特にインクジェットプリンタを使用して基板４５０に印刷されている（しかしながら、その他の実施形態において、その他のプリンタタイプおよび／または印刷モデルが使用される）。図１４Ａおよび図１４Ｂにおいて、白色コントラスト層４７０は半透明層４６０の背後に印刷されている。図１３Ｂおよび図１４Ｂは、これらの印刷された層の裏側を示している。図１３Ａおよび図１４Ａの比較において見られるように、半透明層４６０の革シボパターンのコントラストは、白色コントラスト層４７０によって図１４Ａにおいて高められている。実際、コントラスト層４７０を使用すると、半透明層４６０におけるパターンまたはデザインの全体的な外観がより明るくなり、そのパターンまたはデザインにおける色間のコントラストが高められる。
【００３６】
コントラスト層４７０の厚さおよび組成は、可視および赤外波長範囲において特定の透過率を示すように調整可能である。図１５は、ガラス背景上に印刷されたコントラスト層４７０を示している。コントラスト層４７０は、変化する白色度（Ｗ）を有する。本明細書において使用される「白色度」は、可視スペクトル（４００ｎｍ〜７００ｎｍの波長）にわたって白色面によって反射される光の量を測定する、ＣＩＥ白色度もしくはＩＳＯ  １１４７５：２００４を意味する。図１５の左下の角にあるのは、１００Ｗのコントラスト層である。コントラスト層４７０の白色度は、下の列に沿って左から右へ１００Ｗから６０Ｗへ減少しており、上の列に沿って、白色度は、左から右へ５０Ｗから１０Ｗへ減少している。見られるように、相対的により低い白色度コントラスト層４７０は、相対的により高い白色度コントラスト層４７０より多くの光を透過する。これは、図１６の透過率（Ｔ）グラフにおいても実証されている。白色度が高まると、可視スペクトルにわたる透過パーセント（％Ｔ）が減少する。図１６のグラフを作成するためのデータは、ジエチレングリコールジエチルエーテル溶剤を有する白色インクを、１２８ノズルと、４０ｐＬプリントヘッドとを使用して印刷した後に計算された。透過率（Ｔ）は、印刷解像度および層厚さの操作によって制御される。実施形態において、デッドフロント製品４００には、１０Ｗ〜６０Ｗの白色度を有するコントラスト層４７０が提供される。その他の実施形態において、コントラスト層４７０は、２０Ｗ〜５０Ｗの白色度を有する。特定の実施形態において、コントラスト層４７０は、２０Ｗ〜３０Ｗの白色度を有する。
【００３７】
図１７は、半透明層４６０と、半透明層４６０に印刷されたコントラスト層４７０とを有する４つのガラス基板４５０を示している。図１７に見られるように、半透明層４６０は、編物パターン、革シボパターンおよび２つの木目調パターンのデザインを特徴とする。図１８は、革シボパターンから黒単色パターンへ移行する半透明層４６０を示している。図１８において、緑色の電源ボタンも、左下の角に印刷されている。図１９および図２０は、同じ編物パターンの半透明層４６０どうしの比較を示している。しかしながら、図２０において、コントラスト層４７０は半透明層４６０の背後に印刷されている。図２０において、デッドフロント製品４００は、可視スペクトル（４００ｎｍ〜７００ｎｍの波長）にわたって５％〜１０％の透過率を有する。図２１および図２２は、大理石デッドフロント製品４００を示している。特に、図２１は、デッドフロント製品４００の見る人の側であるのに対し、図２２は、デッドフロント製品４００の裏側である。図２２に見られるように、半透明層４６０の１つのセクションは、コントラスト層４７０によって被覆されていない。実施形態において、ディスプレイは、コントラスト層４７０によって被覆されていないセクションに取り付けることができる。
【００３８】
図２３〜図２７を参照すると、湾曲したガラスベースのデッドフロントを形成するための様々なプロセスと共に、ガラスベースのデッドフロント製品のための様々なサイズ、形状、曲率、ガラス材料などが示されかつ説明されている。図２３〜図２７は、説明しやすくするために、単純化された湾曲したデッドフロント製品２０００に関して説明されるが、デッドフロント製品２０００は、本明細書において説明されたデッドフロントの実施形態のうちのいずれかであってもよいことが理解されるべきである。
【００３９】
図２３に示したように、１つ以上の実施形態において、デッドフロント製品２０００は、少なくとも第１の曲率半径Ｒ１を有する湾曲した外側ガラス基板２０１０を有し、様々な実施形態において、湾曲した外側ガラス基板２０１０は、少なくとも１つの付加的な曲率半径を有する、ガラス材料の複雑な湾曲したシートである。様々な実施形態において、Ｒ１は、約６０ｍｍ〜約１５００ｍｍの範囲である。
【００４０】
湾曲したデッドフロント製品２０００は、湾曲した外側ガラス基板２０１０の内側の主面に沿って配置されたデッドフロント着色層２０２０（例えば、上述のようなインク／顔料層）を有する。概して、デッドフロント着色層２０２０は、木目調デザイン、革シボデザイン、織物デザイン、ブラシ研磨された金属デザイン、グラフィックデザイン、単色および／またはロゴを提供するように、印刷、着色、成形などがなされている。しかしながら、本発明の実施形態は、これらのデザインまたはパターンに限定されない。湾曲したデッドフロント製品２０００は、上述のようなまたは本明細書において説明されたディスプレイまたは車両インテリアシステムに関連させられていることがある付加的な層２０３０（例えば、高光学濃度層、光ガイド層、反射体層、ディスプレイモジュール、ディスプレイスタック層、光源、タッチパネルなど）のうちのいずれかを含んでもよい。
【００４１】
以下でより詳細に説明するように、様々な実施形態において、ガラス基板２０１０および着色層２０２０を有する湾曲したデッドフロント製品２０００は、図２３に示したように、湾曲した形状に一緒に冷間成形されてもよい。幾つかの実施形態において、ガラス基板２０１０、着色層２０２０および付加的な層２０３０を有する湾曲したデッドフロント製品２０００は、図２３に示されたデッドフロント製品２０００のように、湾曲した形状に一緒に冷間成形されてもよい。その他の実施形態において、ガラス基板２０１０が湾曲した形状に成形され、次いで、湾曲成形の後に層２０２０および２０３０が提供されてもよい。
【００４２】
図２４を参照すると、図２３に示された湾曲した形状に成形される前の外側ガラス基板２０１０が示されている。概して、出願人は、本明細書において説明された製品およびプロセスが、前に提供されていないサイズ、形状、組成、強度などのガラスを利用する高品質デッドフロント製品を提供すると考える。
【００４３】
図２４に示したように、外側ガラス基板２０１０は、第１の主面２０５０と、第１の主面２０５０と反対側の第２の主面２０６０とを有する。小口面または副面２０７０は、第１の主面２０５０と第２の主面２０６０とを接続している。外側ガラス基板２０１０は、実質的に一定でありかつ第１の主面２０５０と第２の主面２０６０との間の距離として規定された厚さ（ｔ）を有する。幾つかの実施形態において、本明細書において使用される厚さ（ｔ）は、外側ガラス基板２０１０の最大厚さを意味する。外側ガラス基板２０１０は、厚さ（ｔ）に対して直交する第１または第２の主面のうちの一方の第１の最大寸法として規定される幅（Ｗ）を有し、外側ガラス基板２０１０は、厚さおよび幅の両方に対して直交する第１または第２の面のうちの一方の第２の最大寸法として規定される長さ（Ｌ）も有する。その他の実施形態において、本明細書において説明される寸法は、平均寸法である。
【００４４】
１つ以上の実施形態において、外側ガラス基板２０１０は、０．０５ｍｍ〜２ｍｍの範囲の厚さ（ｔ）を有する。様々な実施形態において、外側ガラス基板２０１０は、約１．５ｍｍ以下の厚さ（ｔ）を有する。例えば、厚さは、約０．１ｍｍ〜約１．５ｍｍ、約０．１５ｍｍ〜約１．５ｍｍ、約０．２ｍｍ〜約１．５ｍｍ、約０．２５ｍｍ〜約１．５ｍｍ、約０．３ｍｍ〜約１．５ｍｍ、約０．３５ｍｍ〜約１．５ｍｍ、約０．４ｍｍ〜約１．５ｍｍ、約０．４５ｍｍ〜約１．５ｍｍ、約０．５ｍｍ〜約１．５ｍｍ、約０．５５ｍｍ〜約１．５ｍｍ、約０．６ｍｍ〜約１．５ｍｍ、約０．６５ｍｍ〜約１．５ｍｍ、約０．７ｍｍ〜約１．５ｍｍ、約０．１ｍｍ〜約１．４ｍｍ、約０．１ｍｍ〜約１．３ｍｍ、約０．１ｍｍ〜約１．２ｍｍ、約０．１ｍｍ〜約１．１ｍｍ、約０．１ｍｍ〜約１．０５ｍｍ、約０．１ｍｍ〜約１ｍｍ、約０．１ｍｍ〜約０．９５ｍｍ、約０．１ｍｍ〜約０．９ｍｍ、約０．１ｍｍ〜約０．８５ｍｍ、約０．１ｍｍ〜約０．８ｍｍ、約０．１ｍｍ〜約０．７５ｍｍ、約０．１ｍｍ〜約０．７ｍｍ、約０．１ｍｍ〜約０．６５ｍｍ、約０．１ｍｍ〜約０．６ｍｍ、約０．１ｍｍ〜約０．５５ｍｍ、約０．１ｍｍ〜約０．５ｍｍ、約０．１ｍｍ〜約０．４ｍｍまたは約０．３ｍｍ〜約０．７ｍｍの範囲であってもよい。
【００４５】
１つ以上の実施形態において、外側ガラス基板２０１０は、約５ｃｍ〜約２５０ｃｍ、約１０ｃｍ〜約２５０ｃｍ、約１５ｃｍ〜約２５０ｃｍ、約２０ｃｍ〜約２５０ｃｍ、約２５ｃｍ〜約２５０ｃｍ、約３０ｃｍ〜約２５０ｃｍ、約３５ｃｍ〜約２５０ｃｍ、約４０ｃｍ〜約２５０ｃｍ、約４５ｃｍ〜約２５０ｃｍ、約５０ｃｍ〜約２５０ｃｍ、約５５ｃｍ〜約２５０ｃｍ、約６０ｃｍ〜約２５０ｃｍ、約６５ｃｍ〜約２５０ｃｍ、約７０ｃｍ〜約２５０ｃｍ、約７５ｃｍ〜約２５０ｃｍ、約８０ｃｍ〜約２５０ｃｍ、約８５ｃｍ〜約２５０ｃｍ、約９０ｃｍ〜約２５０ｃｍ、約９５ｃｍ〜約２５０ｃｍ、約１００ｃｍ〜約２５０ｃｍ、約１１０ｃｍ〜約２５０ｃｍ、約１２０ｃｍ〜約２５０ｃｍ、約１３０ｃｍ〜約２５０ｃｍ、約１４０ｃｍ〜約２５０ｃｍ、約１５０ｃｍ〜約２５０ｃｍ、約５ｃｍ〜約２４０ｃｍ、約５ｃｍ〜約２３０ｃｍ、約５ｃｍ〜約２２０ｃｍ、約５ｃｍ〜約２１０ｃｍ、約５ｃｍ〜約２００ｃｍ、約５ｃｍ〜約１９０ｃｍ、約５ｃｍ〜約１８０ｃｍ、約５ｃｍ〜約１７０ｃｍ、約５ｃｍ〜約１６０ｃｍ、約５ｃｍ〜約１５０ｃｍ、約５ｃｍ〜約１４０ｃｍ、約５ｃｍ〜約１３０ｃｍ、約５ｃｍ〜約１２０ｃｍ、約５ｃｍ〜約１１０ｃｍ、約５ｃｍ〜約１００ｃｍ、約５ｃｍ〜約９０ｃｍ、約５ｃｍ〜約８０ｃｍまたは約５ｃｍ〜約７５ｃｍの範囲の幅（Ｗ）を有する。
【００４６】
１つ以上の実施形態において、外側ガラス基板２０１０は、約５ｃｍ〜約２５０ｃｍ、約１０ｃｍ〜約２５０ｃｍ、約１５ｃｍ〜約２５０ｃｍ、約２０ｃｍ〜約２５０ｃｍ、約２５ｃｍ〜約２５０ｃｍ、約３０ｃｍ〜約２５０ｃｍ、約３５ｃｍ〜約２５０ｃｍ、約４０ｃｍ〜約２５０ｃｍ、約４５ｃｍ〜約２５０ｃｍ、約５０ｃｍ〜約２５０ｃｍ、約５５ｃｍ〜約２５０ｃｍ、約６０ｃｍ〜約２５０ｃｍ、約６５ｃｍ〜約２５０ｃｍ、約７０ｃｍ〜約２５０ｃｍ、約７５ｃｍ〜約２５０ｃｍ、約８０ｃｍ〜約２５０ｃｍ、約８５ｃｍ〜約２５０ｃｍ、約９０ｃｍ〜約２５０ｃｍ、約９５ｃｍ〜約２５０ｃｍ、約１００ｃｍ〜約２５０ｃｍ、約１１０ｃｍ〜約２５０ｃｍ、約１２０ｃｍ〜約２５０ｃｍ、約１３０ｃｍ〜約２５０ｃｍ、約１４０ｃｍ〜約２５０ｃｍ、約１５０ｃｍ〜約２５０ｃｍ、約５ｃｍ〜約２４０ｃｍ、約５ｃｍ〜約２３０ｃｍ、約５ｃｍ〜約２２０ｃｍ、約５ｃｍ〜約２１０ｃｍ、約５ｃｍ〜約２００ｃｍ、約５ｃｍ〜約１９０ｃｍ、約５ｃｍ〜約１８０ｃｍ、約５ｃｍ〜約１７０ｃｍ、約５ｃｍ〜約１６０ｃｍ、約５ｃｍ〜約１５０ｃｍ、約５ｃｍ〜約１４０ｃｍ、約５ｃｍ〜約１３０ｃｍ、約５ｃｍ〜約１２０ｃｍ、約５ｃｍ〜約１１０ｃｍ、約５ｃｍ〜約１００ｃｍ、約５ｃｍ〜約９０ｃｍ、約５ｃｍ〜約８０ｃｍまたは約５ｃｍ〜約７５ｃｍの範囲の長さ（Ｌ）を有する。
【００４７】
図２３に示したように、外側ガラス基板２０１０は、Ｒ１として示された少なくとも１つの曲率半径を有する湾曲した形状に成形されている。様々な実施形態において、外側ガラス基板２０１０は、冷間成形および熱間成形を含むあらゆる適切なプロセスによって、湾曲した形状に成形されてもよい。
【００４８】
特定の実施形態において、外側ガラス基板２０１０は、冷間成形プロセスによって、単独でまたは層２０２０および２０３０の取付けに続いて、図２３に示された湾曲した形状に成形されている。本明細書において使用されるとき、「冷間曲げされた」、「冷間曲げする」、「冷間成形された」または「冷間成形する」という語句は、（本明細書において説明されるように）ガラスの軟化点未満の冷間成形温度においてガラス基板を湾曲させることを意味する。冷間成形されたガラス基板の特徴は、第１の主面２０５０と第２の主面２０６０との間の非対称な表面圧縮である。幾つかの実施形態において、冷間成形プロセスの前または冷間成形される前、第１の主面２０５０および第２の主面２０６０におけるそれぞれの圧縮応力は実質的に等しい。
【００４９】
外側ガラス基板２０１０が強化されていない幾つかのこのような実施形態において、第１の主面２０５０および第２の主面２０６０は、冷間成形の前、認識できる圧縮応力を示さない。（本明細書において説明されるように）外側ガラス基板２０１０が強化されている幾つかのこのような実施形態において、第１の主面２０５０および第２の主面２０６０は、冷間成形の前、互いに関して実質的に等しい圧縮応力を示す。１つ以上の実施形態において、（例えば、図２３に示された）冷間成形の後、第２の主面２０６０（例えば、曲げ後の凹面）における圧縮応力は増大する（すなわち、第２の主面２０６０における圧縮応力は、冷間成形前よりも冷間成形後により大きい）。
【００５０】
理論によって縛られることなく、冷間成形プロセスは、曲げおよび／または成形作業の間に与えられる引張応力を打ち消すために、成形されるガラス基板の圧縮応力を増大させる。１つ以上の実施形態において、冷間成形プロセスにより、第２の主面２０６０は圧縮応力を生じるのに対し、第１の主面２０５０（例えば、曲げ後の凸面）は引張応力を生じる。曲げ後に面２０５０に生じる引張応力の結果、表面圧縮応力の正味減少が生じ、これにより、曲げ後の、強化されたガラスシートの面２０５０における圧縮応力は、ガラスシートが平らであるときの面２０５０における圧縮応力より小さい。
【００５１】
さらに、強化されたガラス基板が外側ガラス基板２０１０のために利用される場合、第１の主面および第２の主面（２０５０，２０６０）は既に圧縮応力下にあり、したがって、第１の主面２０５０は、割れのリスクなしに、曲げの間により大きな引張応力を生じることができる。これにより、外側ガラス基板２０１０の強化された実施形態は、（例えば、より小さなＲ１値を有するように成形された）より大きく湾曲させられた表面に従うことができる。
【００５２】
様々な実施形態において、外側ガラス基板２０１０の厚さは、所望の曲率半径を達成するために、外側ガラス基板２０１０がより可撓性であることを可能にするように調整されている。さらに、より薄い外側ガラス基板２０１０はより容易に変形することがあり、これは、（以下で説明するように）支持部またはフレームの形状によって生じることがある形状不一致および間隙を潜在的に打ち消すことができる。１つ以上の実施形態において、薄くかつ強化された外側ガラス基板２０１０は、特に冷間成形中、より大きな可撓性を示す。本明細書において説明されるガラス基板のより大きな可撓性は、加熱なしで一貫した曲げ成形を可能にすることがある。
【００５３】
様々な実施形態において、外側ガラス基板２０１０（およびその結果としてデッドフロント製品２０００）は、大きな半径および横方向曲率を含む複合的湾曲を有してもよい。複雑に湾曲した冷間成形された外側ガラス基板２０１０は、２つの独立した方向において別個の曲率半径を有してもよい。したがって、１つ以上の実施形態において、複雑に湾曲した冷間成形された外側ガラス基板２０１０は、「横方向曲率」を有することによって特徴づけられてもよく、この場合、冷間成形された外側ガラス基板２０１０は、任意の次元に対して平行な軸線（すなわち、第１の軸線）に沿って湾曲させられておりかつまた同じ次元に対して垂直な軸線（すなわち、第２の軸線）に沿って湾曲させられている。冷間成形された外側ガラス基板２０１０の曲率は、顕著な最小半径が、顕著な横方向曲率および／または曲げの深さと組み合わされたとき、さらにより複雑になる可能性がある。
【００５４】
図２５を参照すると、１つの典型的な実施形態によるディスプレイアセンブリ２１００が示されている。図示された実施形態において、ディスプレイアセンブリ２１００は、ディスプレイモジュール２１２０として示された光源と、デッドフロント製品２０００との両方を（直接的または間接的に）支持するフレーム２１１０を有する。図２５に示したように、デッドフロント製品２０００およびディスプレイモジュール２１２０はフレーム２１１０に結合されており、ディスプレイモジュール２１２０は、使用者が、デッドフロント製品２０００を通して、ディスプレイモジュール２１２０によって生成された光、イメージなどを見ることができるように配置されている。様々な実施形態において、フレーム２１１０は、プラスチック（ＰＣ／ＡＢＳなど）、金属（Ａｌ合金、Ｍｇ合金、Ｆｅ合金など）などの様々な材料から形成されてもよい。フレーム２１１０の湾曲した形状を成形するために、鋳造、切削、打抜き加工、射出成形などの様々なプロセスが利用されてもよい。図２５は、ディスプレイモジュールの形式の光源を示しているが、ディスプレイアセンブリ２１００は、本明細書に説明されたデッドフロントの実施形態のうちのいずれかによってグラフィック、アイコン、イメージ、ディスプレイなどを生成するための、本明細書に説明された光源のうちのいずれかを含んでもよいことが理解されるべきである。さらに、フレーム２１１０は、ディスプレイアセンブリに関連したフレームとして示されているが、フレーム２１１０は、車両インテリアシステムに関連したあらゆる支持部またはフレーム製品であってもよい。
【００５５】
様々な実施形態において、本明細書に説明されたシステムおよび方法は、デッドフロント製品２０００の成形が、フレーム２１１０が有することがある広範囲の様々な湾曲した形状に合致することを可能にする。図２５に示したように、フレーム２１１０は、湾曲した形状を有する支持面２１３０を有し、デッドフロント製品２０００は、支持面２１３０の湾曲した形状と合致するように成形されている。理解されるように、デッドフロント製品２０００は、ディスプレイアセンブリ２１００の所望のフレーム形状に合致するように広範囲の様々な形状に成形されてもよく、ディスプレイアセンブリ２１００自体は、本明細書において説明されるように、車両インテリアシステムの一部の形状に適合するように成形されていてもよい。
【００５６】
１つ以上の実施形態において、デッドフロント構造２０００（および特に外側ガラス基板２０１０）は、約６０ｍｍ以上の第１の曲率半径Ｒ１を有するように成形されている。例えば、Ｒ１は、約６０ｍｍ〜約１５００ｍｍ、約７０ｍｍ〜約１５００ｍｍ、約８０ｍｍ〜約１５００ｍｍ、約９０ｍｍ〜約１５００ｍｍ、約１００ｍｍ〜約１５００ｍｍ、約１２０ｍｍ〜約１５００ｍｍ、約１４０ｍｍ〜約１５００ｍｍ、約１５０ｍｍ〜約１５００ｍｍ、約１６０ｍｍ〜約１５００ｍｍ、約１８０ｍｍ〜約１５００ｍｍ、約２００ｍｍ〜約１５００ｍｍ、約２２０ｍｍ〜約１５００ｍｍ、約２４０ｍｍ〜約１５００ｍｍ、約２５０ｍｍ〜約１５００ｍｍ、約２６０ｍｍ〜約１５００ｍｍ、約２７０ｍｍ〜約１５００ｍｍ、約２８０ｍｍ〜約１５００ｍｍ、約２９０ｍｍ〜約１５００ｍｍ、約３００ｍｍ〜約１５００ｍｍ、約３５０ｍｍ〜約１５００ｍｍ、約４００ｍｍ〜約１５００ｍｍ、約４５０ｍｍ〜約１５００ｍｍ、約５００ｍｍ〜約１５００ｍｍ、約５５０ｍｍ〜約１５００ｍｍ、約６００ｍｍ〜約１５００ｍｍ、約６５０ｍｍ〜約１５００ｍｍ、約７００ｍｍ〜約１５００ｍｍ、約７５０ｍｍ〜約１５００ｍｍ、約８００ｍｍ〜約１５００ｍｍ、約９００ｍｍ〜約１５００ｍｍ、約９５０ｍｍ〜約１５００ｍｍ、約１０００ｍｍ〜約１５００ｍｍ、約１２５０ｍｍ〜約１５００ｍｍ、約６０ｍｍ〜約１４００ｍｍ、約６０ｍｍ〜約１３００ｍｍ、約６０ｍｍ〜約１２００ｍｍ、約６０ｍｍ〜約１１００ｍｍ、約６０ｍｍ〜約１０００ｍｍ、約６０ｍｍ〜約９５０ｍｍ、約６０ｍｍ〜約９００ｍｍ、約６０ｍｍ〜約８５０ｍｍ、約６０ｍｍ〜約８００ｍｍ、約６０ｍｍ〜約７５０ｍｍ、約６０ｍｍ〜約７００ｍｍ、約６０ｍｍ〜約６５０ｍｍ、約６０ｍｍ〜約６００ｍｍ、約６０ｍｍ〜約５５０ｍｍ、約６０ｍｍ〜約５００ｍｍ、約６０ｍｍ〜約４５０ｍｍ、約６０ｍｍ〜約４００ｍｍ、約６０ｍｍ〜約３５０ｍｍ、約６０ｍｍ〜約３００ｍｍまたは約６０ｍｍ〜約２５０ｍｍの範囲であってもよい。
【００５７】
１つ以上の実施形態において、支持面２１３０は、約６０ｍｍ以上の第２の曲率半径を有する。例えば、支持面２１３０の第２の曲率半径は、約６０ｍｍ〜約１５００ｍｍ、約７０ｍｍ〜約１５００ｍｍ、約８０ｍｍ〜約１５００ｍｍ、約９０ｍｍ〜約１５００ｍｍ、約１００ｍｍ〜約１５００ｍｍ、約１２０ｍｍ〜約１５００ｍｍ、約１４０ｍｍ〜約１５００ｍｍ、約１５０ｍｍ〜約１５００ｍｍ、約１６０ｍｍ〜約１５００ｍｍ、約１８０ｍｍ〜約１５００ｍｍ、約２００ｍｍ〜約１５００ｍｍ、約２２０ｍｍ〜約１５００ｍｍ、約２４０ｍｍ〜約１５００ｍｍ、約２５０ｍｍ〜約１５００ｍｍ、約２６０ｍｍ〜約１５００ｍｍ、約２７０ｍｍ〜約１５００ｍｍ、約２８０ｍｍ〜約１５００ｍｍ、約２９０ｍｍ〜約１５００ｍｍ、約３００ｍｍ〜約１５００ｍｍ、約３５０ｍｍ〜約１５００ｍｍ、約４００ｍｍ〜約１５００ｍｍ、約４５０ｍｍ〜約１５００ｍｍ、約５００ｍｍ〜約１５００ｍｍ、約５５０ｍｍ〜約１５００ｍｍ、約６００ｍｍ〜約１５００ｍｍ、約６５０ｍｍ〜約１５００ｍｍ、約７００ｍｍ〜約１５００ｍｍ、約７５０ｍｍ〜約１５００ｍｍ、約８００ｍｍ〜約１５００ｍｍ、約９００ｍｍ〜約１５００ｍｍ、約９５０ｍｍ〜約１５００ｍｍ、約１０００ｍｍ〜約１５００ｍｍ、約１２５０ｍｍ〜約１５００ｍｍ、約６０ｍｍ〜約１４００ｍｍ、約６０ｍｍ〜約１３００ｍｍ、約６０ｍｍ〜約１２００ｍｍ、約６０ｍｍ〜約１１００ｍｍ、約６０ｍｍ〜約１０００ｍｍ、約６０ｍｍ〜約９５０ｍｍ、約６０ｍｍ〜約９００ｍｍ、約６０ｍｍ〜約８５０ｍｍ、約６０ｍｍ〜約８００ｍｍ、約６０ｍｍ〜約７５０ｍｍ、約６０ｍｍ〜約７００ｍｍ、約６０ｍｍ〜約６５０ｍｍ、約６０ｍｍ〜約６００ｍｍ、約６０ｍｍ〜約５５０ｍｍ、約６０ｍｍ〜約５００ｍｍ、約６０ｍｍ〜約４５０ｍｍ、約６０ｍｍ〜約４００ｍｍ、約６０ｍｍ〜約３５０ｍｍ、約６０ｍｍ〜約３００ｍｍまたは約６０ｍｍ〜約２５０ｍｍの範囲であってもよい。
【００５８】
１つ以上の実施形態において、デッドフロント構造２０００は、フレーム２１１０の支持面２１３０の第２の曲率半径の１０％以内（例えば、約１０％以下、約９％以下、約８％以下、約７％以下、約６％以下または約５％以下）である第１の曲率半径Ｒ１を有するように冷間成形される。例えば、フレーム２１１０の支持面２１３０は、１０００ｍｍの曲率半径を有し、デッドフロント製品２０００は、約９００ｍｍ〜約１１００ｍｍの範囲の曲率半径を有するように冷間成形される。
【００５９】
１つ以上の実施形態において、ガラス基板２０１０の第１の主面２０５０および／または第２の主面２０６０は、本明細書において説明されるように機能的コーティング層を有する。機能的コーティング層は、第１の主面２０５０および／または第２の主面２０６０の少なくとも一部をカバーしていてもよい。典型的な機能的コーティングは、眩惑減少コーティングまたは表面、眩惑防止コーティングまたは表面、引掻抵抗コーティング、反射防止コーティング、ハーフミラーコーティングまたは清掃容易コーティングのうちの少なくとも１つを含む。
【００６０】
図２６を参照すると、デッドフロント製品２０００などの冷間成形されたデッドフロント製品を有するディスプレイアセンブリを形成する方法２２００が示されている。ステップ２２１０において、方法は、デッドフロント製品２０００などのデッドフロント製品を、支持体の湾曲した表面に合わせて湾曲させることを含む。概して、支持体は、車両ディスプレイの周囲の湾曲した形状を規定するフレーム２１１０などの、ディスプレイのフレームであってもよい。概して、フレームは、湾曲した支持面を有し、デッドフロント製品２０００の主面２０５０および２０６０のうちの一方は、湾曲した支持面と接触して配置される。
【００６１】
ステップ２２２０において、方法は、デッドフロント製品を、支持体の湾曲した表面に一致する（または合致する）ように曲げながら、湾曲したデッドフロント製品を支持体に固定することを含む。この形式において、図２３に示された湾曲したデッドフロント製品２０００は、概して平らなデッドフロント製品から、湾曲したデッドフロント製品に成形される。この配置において、平らなデッドフロント製品を湾曲させることは、支持体に面した主面において湾曲した形状を形成する一方、対応する（しかしながら相補的な）湾曲を、フレームの向かい合った主面にも形成させる。出願人は、デッドフロント製品を湾曲したフレームにおいて直接曲げることによって、（一般的にその他のガラス曲げプロセスにおいて必要とされる）別個の湾曲した型または金型の必要性が排除されると考える。さらに、出願人は、デッドフロント製品を湾曲したフレームに直接成形することによって、複雑さの小さい製造プロセスにおいて広範囲の湾曲した半径が達成されることがあると考える。
【００６２】
幾つかの実施形態において、ステップ２２１０および／またはステップ２２２０において加えられる力は、真空フィクスチャによって加えられる空気圧であってもよい。幾つかのその他の実施形態において、空気圧差は、フレームおよびデッドフロント製品を包囲した気密エンクロージャに真空を提供することによって形成される。特定の実施形態において、気密エンクロージャは、プラスチックバッグまたはパウチなどの可撓性のポリマーシェルである。その他の実施形態において、空気圧差は、オートクレーブなどの過圧装置によってデッドフロント製品およびフレームの周囲に増大した空気圧を生じさせることによって形成される。出願人には、さらに、空気圧が、（接触ベースの曲げ方法と比較して）一貫したかつ極めて均一な曲げ力を提供し、このことは、さらに、誤りのない製造プロセスにつながることが判った。様々な実施形態において、空気圧差は、０．５〜１．５標準気圧（ａｔｍ）（５０６．６２５〜１５１９．８８ｈＰａ）、特に０．７〜１．１ａｔｍ（７０９．２７５〜１１１４．５８ｈＰａ）、さらに特に０．８〜１ａｔｍ（８１０．６〜１０１３．２５ｈＰａ）である。
【００６３】
ステップ２２３０において、デッドフロント製品の温度は、ステップ２２１０および２２２０の間の外側ガラス層の材料のガラス転移温度より低く維持される。これにより、方法２２００は、冷間成形または冷間曲げプロセスである。特定の実施形態において、デッドフロント製品の温度は、５００℃、４００℃、３００℃、２００℃または１００℃より低く維持される。特定の実施形態において、デッドフロント製品は、曲げの間、室温以下に維持される。特定の実施形態において、デッドフロント製品は、ガラスを湾曲した形状に熱間成形する場合のように、曲げの間、加熱エレメント、炉、オーブンなどによって能動的に加熱されない。
【００６４】
上述のように、高価なかつ／または遅い加熱ステップを排除するなどの処理上の利点を提供することに加え、本明細書において説明される冷間成形プロセスは、熱間成形プロセスによって達成可能な特性よりも優れていると考えられる様々な特性を備える湾曲したデッドフロント製品を提供すると考えられる。例えば、出願人は、少なくとも幾つかのガラス材料の場合、熱間成形プロセスの間の加熱が、湾曲したガラス基板の光学的特性を低下させ、これにより、本明細書において説明される冷間曲げプロセス／システムを利用して形成された湾曲したガラスベースのデッドフロント製品が、熱間曲げプロセスによって達成可能でないと考えられる、湾曲したガラス形状と、改善された光学的品質との両方を提供すると考える。
【００６５】
さらに、様々なコーティングおよび層（例えば、清掃容易コーティング、反射防止コーティングなど）のために使用される多くの材料は、湾曲した表面へのコーティングには一般的にあまり適していないスパッタリングプロセスなどの堆積プロセスによって提供される。加えて、デッドフロントインク／顔料材料などの多くのコーティング材料も、熱間曲げプロセスに関連した高温に耐えることができない。したがって、本明細書において説明された特定の実施形態において、層２０２０は、冷間曲げの前に外側ガラス基板２０１０に提供される。したがって、出願人は、本明細書において説明されたプロセスおよびシステムが、典型的な熱間成形プロセスとは対照的に、１つ以上のコーティング材料がガラスに提供された後にガラスの曲げを行うと考える。
【００６６】
ステップ２２２０において、湾曲したデッドフロント製品は、湾曲した支持体に取り付けられるまたは固定される。様々な実施形態において、湾曲したデッドフロント製品と湾曲した支持体との間の取付けは、接着剤材料を介して行われてもよい。このような接着剤は、ディスプレイアセンブリ（例えば、ディスプレイのフレーム）に対する所定の位置においてデッドフロント製品を結合するためのあらゆる適切な光学的にクリアな接着剤を含んでもよい。１つの例において、接着剤は、８２１５の商品名で３Ｍコーポレーションから販売されている光学的にクリアな接着剤を含んでもよい。接着剤の厚さは、約２００μｍ〜約５００μｍの範囲であってもよい。
【００６７】
接着剤材料は、様々な方法で塗布されてもよい。１つの実施形態において、接着剤は、アプリケータガンを使用して塗布され、ローラまたはドローダウンダイを使用して均一にされる。様々な実施形態において、本明細書において説明される接着剤は、構造用接着剤である。特定の実施形態において、構造用接着剤は、（ａ）強化エポキシ（Masterbond EP21TDCHT-LO、3M Scotch Weld Epoxy DP460 Off-white）、（ｂ）フレキシブルエポキシ（Masterbond EP21TDC-2LO、3M Scotch Weld Epoxy 2216 B/A Gray）、（ｃ）アクリル（LORD Adhesive 410/Accelerator 19 w/LORD AP 134 primer、LORD Adhesive 852/LORD Accelerator 25GB、Loctite HF 8000、Loctite AA4800）、（ｄ）ウレタン（3M Scotch Weld Urethane DP640 Brown）および（ｅ）シリコーン（Dow Corning 995）のカテゴリーのうちの１つ以上から選択された接着剤を含んでもよい。幾つかの場合、（Ｂ段階エポキシ接着剤）などのシートフォーマットにおいて利用可能な構造用グルーが利用されてもよい。さらに、３Ｍ  ＶＨＢテープなどの感圧構造用接着剤が利用されてもよい。このような実施形態において、感圧接着剤を利用することにより、湾曲したデッドフロント製品は、硬化ステップの必要なしにフレームに結合される。
【００６８】
１つ以上の実施形態において、方法は、湾曲したデッドフロント製品をディスプレイに固定するステップ２２４０を含む。１つ以上の実施形態において、方法は、ステップ２２１０の前にディスプレイをデッドフロント製品に固定し、ステップ２２１０においてディスプレイおよびデッドフロント製品の両方を湾曲させることを含んでもよい。１つ以上の実施形態において、方法は、湾曲したデッドフロント製品およびディスプレイを車両インテリアシステム１００，２００，３００に配置するまたは組み立てることを含む。
【００６９】
図２７を参照すると、湾曲したデッドフロント製品を利用してディスプレイを形成する方法２３００が示されておりかつ説明されている。幾つかの実施形態において、デッドフロント製品の基板（例えば、外側ガラス層２０１０）は、ステップ２３１０において湾曲した形状に成形される。ステップ２３１０における成形は、冷間成形または熱間成形であってもよい。ステップ２３２０において、デッドフロントインク／顔料層（例えば、層２０２０）が、成形の後に基板に塗布されて、湾曲したデッドフロント製品が提供される。次いで、ステップ２３３０において、湾曲したデッドフロント製品は、ディスプレイアセンブリ２１００のフレーム２１１０などのフレームまたは車両インテリアシステムに関連していることがあるその他のフレームに取り付けられる。
【００７０】
基板材料
本明細書において説明されるデッドフロント製品の様々な基板は、ポリマー（例えば、ＰＭＭＡ、ポリカーボネートなど）またはガラスなどのあらゆる透明な材料から形成されていてもよい。適切なガラス組成は、ソーダ石灰ガラス、アルミノケイ酸塩ガラス、ホウケイ酸ガラス、ボロアルミノケイ酸塩ガラス、アルカリ含有アルミノケイ酸塩ガラス、アルカリ含有ホウケイ酸ガラスおよびアルカリ含有ボロアルミノケイ酸塩ガラスを含む。
【００７１】
別段の定めがないかぎり、本明細書において開示されたガラス組成は、酸化物ベースで分析されたモルパーセント（モル％）で記載されている。
【００７２】
１つ以上の実施形態において、ガラス組成は、約６６モル％〜約８０モル％、約６７モル％〜約８０モル％、約６８モル％〜約８０モル％、約６９モル％〜約８０モル％、約７０モル％〜約８０モル％、約７２モル％〜約８０モル％、約６５モル％〜約７８モル％、約６５モル％〜約７６モル％、約６５モル％〜約７５モル％、約６５モル％〜約７４モル％、約６５モル％〜約７２モル％または約６５モル％〜約７０モル％の範囲およびそれらの間の全ての範囲および部分範囲の量のＳｉＯ2を含んでもよい。
【００７３】
１つ以上の実施形態において、ガラス組成は、約４モル％より大きいまたは約５モル％より大きい量のＡｌ2Ｏ3を含む。１つ以上の実施形態において、ガラス組成は、約７モル％超〜約１５モル％、約７モル％超〜約１４モル％、約７モル％〜約１３モル％、約４モル％〜約１２モル％、約７モル％〜約１１モル％、約８モル％〜約１５モル％、約９モル％〜約１５モル％、約１０モル％〜約１５モル％、約１１モル％〜約１５モル％または約１２モル％〜約１５モル％の範囲およびそれらの間の全ての範囲および部分範囲のＡｌ2Ｏ3を含む。１つ以上の実施形態においてＡｌ2Ｏ3の上限は、約１４モル％、１４．２モル％、１４．４モル％、１４．６モル％または１４．８モル％であってもよい。
【００７４】
１つ以上の実施形態において、本明細書におけるガラス層は、アルミノケイ酸塩ガラス製品として説明されるまたはアルミノケイ酸塩ガラス組成を有する。このような実施形態において、ガラス組成またはそれから形成された製品は、ＳｉＯ2およびＡｌ2Ｏ3を含み、ソーダ石灰シリケートガラスではない。これに関して、ガラス組成またはそれから形成された製品は、約２モル％以上、２．２５モル％以上、２．５モル％以上、約２．７５モル％以上、約３モル％以上の量のＡｌ2Ｏ3を含む。
【００７５】
１つ以上の実施形態において、ガラス組成は、Ｂ2Ｏ3（例えば、約０．０１モル％以上）を含む。１つ以上の実施形態において、ガラス組成は、約０モル％〜約５モル％、約０モル％〜約４モル％、約０モル％〜約３モル％、約０モル％〜約２モル％、約０モル％〜約１モル％、約０モル％〜約０．５モル％、約０．１モル％〜約５モル％、約０．１モル％〜約４モル％、約０．１モル％〜約３モル％、約０．１モル％〜約２モル％、約０．１モル％〜約１モル％、約０．１モル％〜約０．５モル％の範囲およびそれらの間の全ての範囲および部分範囲の量のＢ2Ｏ3を含む。１つ以上の実施形態において、ガラス組成は、実質的にＢ2Ｏ3を含まない。
【００７６】
本明細書において使用されるとき、組成の成分に関して「実質的に含まない」という語句は、その成分が、初期回分処理の間にその組成に能動的にまたは意図的に加えられていないが、約０．００１モル％未満の量で不純物として存在することがあることを意味する。
【００７７】
１つ以上の実施形態において、ガラス組成は、選択的に、Ｐ2Ｏ5（例えば、約０．０１モル％以上）を含む。１つ以上の実施形態において、ガラス組成は、２モル％、１．５モル％、１モル％または０．５モル％までのかつそれらを含むＰ2Ｏ5のゼロではない量を含む。１つ以上の実施形態において、ガラス組成は、実質的にＰ2Ｏ5を含まない。
【００７８】
１つ以上の実施形態において、ガラス組成は、約８モル％以上、約１０モル％以上または約１２モル％以上のＲ2Ｏの合計量（Ｌｉ2Ｏ、Ｎａ2Ｏ、Ｋ2Ｏ、Ｒｂ2ＯおよびＣｓ2Ｏなどのアルカリ金属酸化物の合計量である）を含んでもよい。幾つかの実施形態において、ガラス組成は、約８モル％〜約２０モル％、約８モル％〜約１８モル％、約８モル％〜約１６モル％、約８モル％〜約１４モル％、約８モル％〜約１２モル％、約９モル％〜約２０モル％、約１０モル％〜約２０モル％、約１１モル％〜約２０モル％、約１２モル％〜約２０モル％、約１３モル％〜約２０モル％、約１０モル％〜約１４モル％または約１１モル％〜約１３モル％の範囲およびそれらの間の全ての範囲および部分範囲のＲ2Ｏの合計量を含む。１つ以上の実施形態において、ガラス組成は、Ｒｂ2Ｏ、Ｃｓ2ＯまたはＲｂ2ＯおよびＣｓ2Ｏの両方を実質的に含まなくてもよい。１つ以上の実施形態において、Ｒ2Ｏは、Ｌｉ2Ｏ、Ｎａ2ＯおよびＫ2Ｏのみの合計量を含んでもよい。１つ以上の実施形態において、ガラス組成は、Ｌｉ2Ｏ、Ｎａ2ＯおよびＫ2Ｏから選択された少なくとも１種のアルカリ金属酸化物を含んでもよく、アルカリ金属酸化物は、約８モル％以上の量で存在する。
【００７９】
１つ以上の実施形態において、ガラス組成は、約８モル％以上、約１０モル％以上または約１２モル％以上の量のＮａ2Ｏを含む。１つ以上の実施形態において、組成は、約８モル％〜約２０モル％、約８モル％〜約１８モル％、約８モル％〜約１６モル％、約８モル％〜約１４モル％、約８モル％〜約１２モル％、約９モル％〜約２０モル％、約１０モル％〜約２０モル％、約１１モル％〜約２０モル％、約１２モル％〜約２０モル％、約１３モル％〜約２０モル％、約１０モル％〜約１４モル％または約１１モル％〜約１６モル％の範囲およびそれらの間の全ての範囲および部分範囲のＮａ2Ｏを含む。
【００８０】
１つ以上の実施形態において、ガラス組成は、約４モル％未満のＫ2Ｏ、約３モル％未満のＫ2Ｏまたは約１モル％未満のＫ2Ｏを含む。幾つかの例において、ガラス組成は、約０モル％〜約４モル％、約０モル％〜約３．５モル％、約０モル％〜約３モル％、約０モル％〜約２．５モル％、約０モル％〜約２モル％、約０モル％〜約１．５モル％、約０モル％〜約１モル％、約０モル％〜約０．５モル％、約０モル％〜約０．２モル％、約０モル％〜約０．１モル％、約０．５モル％〜約４モル％、約０．５モル％〜約３．５モル％、約０．５モル％〜約３モル％、約０．５モル％〜約２．５モル％、約０．５モル％〜約２モル％、約０．５モル％〜約１．５モル％または約０．５モル％〜約１モル％の範囲およびそれらの間の全ての範囲および部分範囲の量のＫ2Ｏを含んでもよい。１つ以上の実施形態において、ガラス組成は、実質的にＫ2Ｏを含まなくてもよい。
【００８１】
１つ以上の実施形態において、ガラス組成は、実質的にＬｉ2Ｏを含まない。１つ以上の実施形態において、組成におけるＮａ2Ｏの量は、Ｌｉ2Ｏの量より大きくてもよい。幾つかの例において、Ｎａ2Ｏの量は、Ｌｉ2ＯおよびＫ2Ｏの組み合わされた量より大きくてもよい。１つ以上の代替的な実施形態において、組成におけるＬｉ2Ｏの量は、Ｎａ2Ｏの量またはＮａ2ＯおよびＫ2Ｏの組み合わされた量より大きくてもよい。
【００８２】
１つ以上の実施形態において、ガラス組成は、約０モル％〜約２モル％の範囲のＲＯの合計量（ＣａＯ、ＭｇＯ、ＢａＯ、ＺｎＯおよびＳｒＯなどのアルカリ土類金属酸化物の合計量）を含んでもよい。幾つかの実施形態において、ガラス組成は、約２モル％までのＲＯのゼロではない量を含む。１つ以上の実施形態において、ガラス組成は、約０モル％〜約１．８モル％、約０モル％〜約１．６モル％、約０モル％〜約１．５モル％、約０モル％〜約１．４モル％、約０モル％〜約１．２モル％、約０モル％〜約１モル％、約０モル％〜約０．８モル％、約０モル％〜約０．５モル％およびそれらの間の全ての範囲および部分範囲の量のＲＯを含む。
【００８３】
１つ以上の実施形態において、ガラス組成は、約１モル％未満、約０．８モル％未満または約０．５モル％未満の量のＣａＯを含む。１つ以上の実施形態において、ガラス組成は、実質的にＣａＯを含まない。
【００８４】
幾つかの実施形態において、ガラス組成は、約０モル％〜約７モル％、約０モル％〜約６モル％、約０モル％〜約５モル％、約０モル％〜約４モル％、約０．１モル％〜約７モル％、約０．１モル％〜約６モル％、約０．１モル％〜約５モル％、約０．１モル％〜約４モル％、約１モル％〜約７モル％、約２モル％〜約６モル％または約３モル％〜約６モル％およびそれらの間の全ての範囲および部分範囲の量のＭｇＯを含む。
【００８５】
１つ以上の実施形態において、ガラス組成は、約０．２モル％以下、約０．１８モル％未満、約０．１６モル％未満、約０．１５モル％未満、約０．１４モル％未満、約０．１２モル％未満の量のＺｒＯ2を含む。１つ以上の実施形態において、ガラス組成は、約０．０１モル％〜約０．２モル％、約０．０１モル％〜約０．１８モル％、約０．０１モル％〜約０．１６モル％、約０．０１モル％〜約０．１５モル％、約０．０１モル％〜約０．１４モル％、約０．０１モル％〜約０．１２モル％または約０．０１モル％〜約０．１０モル％の範囲およびそれらの間の全ての範囲および部分範囲のＺｒＯ2を含む。
【００８６】
１つ以上の実施形態において、ガラス組成は、約０．２モル％以下、約０．１８モル％未満、約０．１６モル％未満、約０．１５モル％未満、約０．１４モル％未満、約０．１２モル％未満の量のＳｎＯ2を含む。１つ以上の実施形態において、ガラス組成は、約０．０１モル％〜約０．２モル％、約０．０１モル％〜約０．１８モル％、約０．０１モル％〜約０．１６モル％、約０．０１モル％〜約０．１５モル％、約０．０１モル％〜約０．１４モル％、約０．０１モル％〜約０．１２モル％または約０．０１モル％〜約０．１０モル％の範囲およびそれらの間の全ての範囲および部分範囲のＳｎＯ2を含む。
【００８７】
１つ以上の実施形態において、ガラス組成は、ガラス製品に色または色合いを提供する酸化物を含んでもよい。幾つかの実施形態において、ガラス組成は、ガラス製品が紫外放射に曝されたときにガラス製品の退色を防止する酸化物を含む。このような酸化物の例は、限定することなく、Ｔｉ、Ｖ、Ｃｒ、Ｍｎ、Ｆｅ、Ｃｏ、Ｎｉ、Ｃｕ、Ｃｅ、ＷおよびＭｏの酸化物を含む。
【００８８】
１つ以上の実施形態において、ガラス組成は、Ｆｅ2Ｏ3として表されるＦｅを含み、Ｆｅは、約１モル％までの（かつ約１モル％を含む）量で存在する。幾つかの実施形態において、ガラス組成は、実質的にＦｅを含まない。１つ以上の実施形態において、ガラス組成は、約０．２モル％以下、約０．１８モル％未満、約０．１６モル％未満、約０．１５モル％未満、約０．１４モル％未満、約０．１２モル％未満の量のＦｅ2Ｏ3を含む。１つ以上の実施形態において、ガラス組成は、約０．０１モル％〜約０．２モル％、約０．０１モル％〜約０．１８モル％、約０．０１モル％〜約０．１６モル％、約０．０１モル％〜約０．１５モル％、約０．０１モル％〜約０．１４モル％、約０．０１モル％〜約０．１２モル％または約０．０１モル％〜約０．１０モル％の範囲およびそれらの間の全ての範囲および部分範囲のＦｅ2Ｏ3を含む。
【００８９】
ガラス組成がＴｉＯ2を含む場合、ＴｉＯ2は、約５モル％以下、約２．５モル％以下、約２モル％以下または約１モル％以下の量で存在してもよい。１つ以上の実施形態において、ガラス組成は、実質的にＴｉＯ2を含まなくてもよい。
【００９０】
典型的なガラス組成は、約６５モル％〜約７５モル％の範囲の量のＳｉＯ2、約８モル％〜約１４モル％の範囲の量のＡｌ2Ｏ3、約１２モル％〜約１７モル％の範囲の量のＮａ2Ｏ、約０モル％〜約０．２モル％の範囲の量のＫ2Ｏおよび約１．５モル％〜約６モル％の範囲の量のＭｇＯを含む。選択的に、ＳｎＯ2は、別段に本明細書に開示された量で含まれてもよい。
【００９１】
強化基板
１つ以上の実施形態において、基板は、本明細書において説明されたデッドフロント製品の実施形態のうちのいずれかのガラス材料（外側ガラス基板２０１０またはその他のガラス基板など）を含む。１つ以上の実施形態において、このようなガラス基板は、強化されていてもよい。１つ以上の実施形態において、ガラス基板は、表面から圧縮深さ（ＤＯＣ）まで延びる圧縮応力を有するように強化されていてもよい。圧縮応力領域は、引張応力を有する中央部分によって平衡させられている。ＤＯＣにおいて、応力は、正の（圧縮）応力から負の（引張）応力へ変化する。
【００９２】
１つ以上の実施形態において、本明細書において説明されたデッドフロント製品において使用されるガラス基板は、圧縮応力領域と、引張応力を有する中央領域とを形成するために、ガラスの部分の間における熱膨張率の不一致を利用することによって、機械的に強化されていてもよい。幾つかの実施形態において、ガラス基板は、ガラス転移温度より高い温度までガラスを加熱し、次いで、急速に急冷することによって、熱的に強化されていてもよい。
【００９３】
１つ以上の実施形態において、本明細書において説明されたデッドフロント製品に使用されるガラス基板は、イオン交換によって化学的に強化されてもよい。イオン交換プロセスにおいて、ガラス基板の表面におけるイオンまたはガラス基板の表面の近くのイオンが、同じ原子価または酸化状態を有するより大きなイオンによって置き換えられるまたは同じ原子価または酸化状態を有するより大きなイオンと交換される。ガラス基板がアルカリアルミノケイ酸塩ガラスまたはソーダ石灰ケイ酸塩ガラスを含む実施形態において、製品の表面層におけるイオンおよびより大きなイオンは、Ｌｉ+、Ｎａ+、Ｋ+、Ｒｂ+およびＣｓ+などの、一価のアルカリ金属カチオンである。代替的に、表面層における一価のカチオンは、Ａｇ+などの、アルカリ金属カチオン以外の一価のカチオンと置き換えられてもよい。このような実施形態において、ガラス基板内へ交換される一価のイオン（またはカチオン）は応力を生ずる。
【００９４】
イオン交換プロセスは、通常、ガラス基板におけるより小さなイオンと交換されるべきより大きなイオンを含む溶融塩浴（または２つ以上の溶融塩浴）にガラス基板を浸漬させることによって行われる。水性塩浴が利用されてもよいことに留意すべきである。加えて、浴の組成は、２つ以上のタイプのより大きなイオン（例えば、Ｎａ+およびＫ+）または１つのより大きなイオンを含んでもよい。浴組成および温度、浸漬時間、塩浴（または浴）におけるガラス基板の浸漬回数、複数の塩浴の使用、焼きなまし、洗浄などの付加的なステップを含むが、これらに限定されない、イオン交換プロセスのためのパラメータは、ガラス基板の組成（基板の構造および存在するあらゆる結晶相を含む）および強化の結果として生じる基板の所望のＤＯＣおよびＣＳによって概して決定されることが、当業者によって理解されるであろう。
【００９５】
典型的な溶融浴組成は、より大きなアルカリ金属イオンの硝酸塩、硫酸塩および塩化物を含んでもよい。典型的な硝酸塩は、ＫＮＯ3、ＮａＮＯ3、ＬｉＮＯ3、ＮａＳＯ4およびそれらの組合せを含む。溶融塩浴の温度は、通常、約３８０℃〜約４５０℃の範囲であるが、浸漬時間は、ガラス厚さ、浴温度およびガラス（または一価のイオン）拡散率に応じて約１５分〜約１００時間の範囲である。しかしながら、上述のものと異なる温度および浸漬時間が利用されてもよい。
【００９６】
１つ以上の実施形態において、デッドフロント製品において使用されるガラス基板は、約３７０℃〜約４８０℃の温度を有する１００％のＮａＮＯ3、１００％のＫＮＯ3またはＮａＮＯ3およびＫＮＯ3の組合せの溶融塩浴に浸漬させられてもよい。幾つかの実施形態において、デッドフロント製品のガラス基板は、約５％〜約９０％のＫＮＯ3および約１０％〜約９５％のＮａＮＯ3を含む混合された溶融塩浴に浸漬させられてもよい。１つ以上の実施形態において、ガラス基板は、第１の浴における浸漬後に、第２の浴に浸漬させられてもよい。第１および第２の浴は、互いに異なる組成および／または温度を有してもよい。第１および第２の浴における浸漬時間は異なってもよい。例えば、第１の浴における浸漬は、第２の浴における浸漬より長くてもよい。
【００９７】
１つ以上の実施形態において、デッドフロント製品を形成するために使用されるガラス基板は、約５時間未満またはさらに約４時間未満の間、約４２０℃未満（例えば、約４００℃または約３８０℃）の温度を有する、ＮａＮＯ3およびＫＮＯ3（例えば、４９％／５１％、５０％／５０％、５１％／４９％）を含む混合された溶融塩浴に浸漬させられてもよい。
【００９８】
イオン交換条件は、デッドフロント製品の結果として生じるガラス基板の表面においてまたはこの表面の近くで「スパイク」を提供するまたは応力分布の傾斜を増大させるように調整することができる。スパイクは、より大きな表面ＣＳ値を結果として生じることがある。このスパイクは、本明細書において説明されたデッドフロント製品のガラス基板において使用されるガラス組成の独特の特性により、１つの組成または混合された組成を有する、１つの浴または複数の浴によって達成することができる。
【００９９】
１つ以上の実施形態において、デッドフロント製品において使用されるガラス基板内へ２つ以上の一価のイオンが交換される場合、ガラス基板内の異なる深さまで、異なる一価のイオンが交換されてもよい（かつ異なる深さにおいてガラス基板内に異なる大きさの応力を生じてもよい）。応力を生じるイオンの、この結果として生じる相対的な深さを決定することができ、これは、応力分布の異なる特性を生じることができる。
【０１００】
ＣＳは、Orihara Industrial Co.,Ltd（日本）によって製造されたＦＳＭ−６０００などの市販されている機器を使用する表面応力計（ＦＳＭ）などによって、技術分野において公知の手段を使用して測定される。表面応力測定は、ガラスの複屈折に関連した応力光係数（ＳＯＣ）の正確な測定に依存する。ＳＯＣ自体は、ファイバおよび４点曲げ法などの、技術分野において公知の方法によって測定され、その両方は、「Standard Test Method for Measurement of Glass Stress-Optical Coefficient」というタイトルの、ＡＳＴＭ規格Ｃ７７０−９８（２０１３）に記載されており、その内容全体は、引用したことにより本明細書に組み込まれ、バルクシリンダ法によっても測定される。本明細書において使用されるとき、ＣＳは、圧縮応力層内で測定された最も高い圧縮応力値である「最大圧縮応力」であってもよい。幾つかの実施形態において、最大圧縮応力は、ガラス基板の表面に存在している。その他の実施形態において、最大圧縮応力は、表面内部の所定の深さにおいて生じることがあり、圧縮分布に「埋め込まれたピーク」の外観を与える。
【０１０１】
ＤＯＣは、強化方法および条件に応じて、ＦＳＭによってまたは散乱光偏光器（ＳＣＡＬＰ）（エストニア、タリンに所在するGlasstress Ltd.から市販されているＳＣＡＬＰ−０４散乱光偏光器など）によって測定されてもよい。ガラス基板がイオン交換処理によって化学的に強化される場合、ＦＳＭまたはＳＣＡＬＰが、どのイオンがガラス基板内へ交換されるかに応じて使用されてもよい。ガラス基板における応力が、ガラス基板内へカリウムイオンを交換することによって生じさせられる場合、ＤＯＣを測定するためにＦＳＭが使用される。ガラス基板内へナトリウムイオンを交換することによって応力が生じさせられる場合、ＤＯＣを測定するためにＳＣＡＬＰが使用される。ガラス内へカリウムイオンおよびナトリウムイオンの両方を交換することによってガラス基板における応力が生じさせられる場合、ＤＯＣは、ＳＣＡＬＰによって測定される。なぜならば、ナトリウムの交換深さがＤＯＣを示し、カリウムイオンの交換深さは、圧縮応力の大きさの変化を示す（しかしながら、圧縮から引張への応力の変化は示さない）と考えられるからである。このようなガラス基板におけるカリウムイオンの交換深さは、ＦＳＭによって測定される。中央張力またはＣＴは、最大引張応力であり、ＳＣＡＬＰによって測定される。
【０１０２】
１つ以上の実施形態において、デッドフロント製品を形成するために使用されるガラス基板は、（本明細書において説明されるように）ガラス基板の厚さｔの割合として説明されるＤＯＣを有するように強化されてもよい。例えば、１つ以上の実施形態において、ＤＯＣは、約０．０５ｔ以上、約０．１ｔ以上、約０．１１ｔ以上、約０．１２ｔ以上、約０．１３ｔ以上、約０．１４ｔ以上、約０．１５ｔ以上、約０．１６ｔ以上、約０．１７ｔ以上、約０．１８ｔ以上、約０．１９ｔ以上、約０．２ｔ以上、約０．２１ｔ以上であってもよい。幾つかの実施形態において、ＤＯＣは、約０．０８ｔ〜約０．２５ｔ、約０．０９ｔ〜約０．２５ｔ、約０．１８ｔ〜約０．２５ｔ、約０．１１ｔ〜約０．２５ｔ、約０．１２ｔ〜約０．２５ｔ、約０．１３ｔ〜約０．２５ｔ、約０．１４ｔ〜約０．２５ｔ、約０．１５ｔ〜約０．２５ｔ、約０．０８ｔ〜約０．２４ｔ、約０．０８ｔ〜約０．２３ｔ、約０．０８ｔ〜約０．２２ｔ、約０．０８ｔ〜約０．２１ｔ、約０．０８ｔ〜約０．２ｔ、約０．０８ｔ〜約０．１９ｔ、約０．０８ｔ〜約０．１８ｔ、約０．０８ｔ〜約０．１７ｔ、約０．０８ｔ〜約０．１６ｔまたは約０．０８ｔ〜約０．１５ｔの範囲であってもよい。幾つかの例において、ＤＯＣは、約２０μｍ以下であってもよい。１つ以上の実施形態において、ＤＯＣは、約４０μｍ以上（例えば、約４０μｍ〜約３００μｍ、約５０μｍ〜約３００μｍ、約６０μｍ〜約３００μｍ、約７０μｍ〜約３００μｍ、約８０μｍ〜約３００μｍ、約９０μｍ〜約３００μｍ、約１００μｍ〜約３００μｍ、約１１０μｍ〜約３００μｍ、約１２０μｍ〜約３００μｍ、約１４０μｍ〜約３００μｍ、約１５０μｍ〜約３００μｍ、約４０μｍ〜約２９０μｍ、約４０μｍ〜約２８０μｍ、約４０μｍ〜約２６０μｍ、約４０μｍ〜約２５０μｍ、約４０μｍ〜約２４０μｍ、約４０μｍ〜約２３０μｍ、約４０μｍ〜約２２０μｍ、約４０μｍ〜約２１０μｍ、約４０μｍ〜約２００μｍ、約４０μｍ〜約１８０μｍ、約４０μｍ〜約１６０μｍ、約４０μｍ〜約１５０μｍ、約４０μｍ〜約１４０μｍ、約４０μｍ〜約１３０μｍ、約４０μｍ〜約１２０μｍ、約４０μｍ〜約１１０μｍまたは約４０μｍ〜約１００μｍ）であってもよい。
【０１０３】
１つ以上の実施形態において、デッドフロント製品を形成するために使用されるガラス基板は、約２００ＭＰａ以上、３００ＭＰａ以上、４００ＭＰａ以上、約５００ＭＰａ以上、約６００ＭＰａ以上、約７００ＭＰａ以上、約８００ＭＰａ以上、約９００ＭＰａ以上、約９３０ＭＰａ以上、約１０００ＭＰａ以上または約１０５０ＭＰａ以上のＣＳ（ガラス製品の表面またはガラス製品内の所定の深さに見られることがある）を有してもよい。
【０１０４】
１つ以上の実施形態において、デッドフロント製品を形成するために使用されるガラス基板は、約２０ＭＰａ以上、約３０ＭＰａ以上、約４０ＭＰａ以上、約４５ＭＰａ以上、約５０ＭＰａ以上、約６０ＭＰａ以上、約７０ＭＰａ以上、約７５ＭＰａ以上、約８０ＭＰａ以上または約８５ＭＰａ以上の最大引張応力または中央張力（ＣＴ）を有してもよい。幾つかの実施形態において、最大引張応力または中央張力（ＣＴ）は、約４０ＭＰａ〜約１００ＭＰａの範囲であってもよい。
【０１０５】
本開示の態様（１）は、デッドフロント製品であって、
基板であって、第１の面と、該第１の面と反対側の第２の面とを有する基板と、
単色の領域または２つ以上の色のデザインの領域を有する、前記基板の前記第２の面の少なくとも第１の部分に配置された半透明層と、
前記領域の少なくとも一部に配置されたコントラスト層であって、前記領域の色の可視性を高めるようにまたは前記コントラスト層が配置されている前記領域の部分における前記領域のデザインの色間のコントラストを高めるように構成されているコントラスト層と、
を備える、デッドフロント製品に関する。
【０１０６】
本開示の態様（２）は、前記領域は、２つ以上の色のデザインを有し、該デザインは、革シボパターン、木目調パターン、織物パターン、ブラシ研磨金属仕上げパターン、グラフィックまたはロゴのうちの少なくとも１つである、態様（１）記載のデッドフロント製品に関する。
【０１０７】
本開示の態様（３）は、前記半透明層は、印刷された半透明層を含む、態様（１）または（２）記載のデッドフロント製品に関する。
【０１０８】
本開示の態様（４）は、前記半透明層は、最大で６μｍの平均厚さを有する、態様（１）から（３）までのいずれか１つ記載のデッドフロント製品に関する。
【０１０９】
本開示の態様（５）は、前記半透明層は、少なくとも１μｍの平均厚さを有する、態様（１）から（４）までのいずれか１つ記載のデッドフロント製品に関する。
【０１１０】
本開示の態様（６）は、前記半透明層は、ＣＭＹＫ色モデルを使用してインクジェットプリンタによって前記基板の前記第２の面に印刷されている、態様（１）から（５）までのいずれか１つ記載のデッドフロント製品に関する。
【０１１１】
本開示の態様（７）は、前記コントラスト層の色は、白またはグレーである、態様（１）から（６）までのいずれか１つ記載のデッドフロント製品に関する。
【０１１２】
本開示の態様（８）は、前記コントラスト層は、最大で６μｍの平均厚さを有する、態様（１）から（７）までのいずれか１つ記載のデッドフロント製品に関する。
【０１１３】
本開示の態様（９）は、前記コントラスト層は、少なくとも１μｍの平均厚さを有する、態様（１）から（８）までのいずれか１つ記載のデッドフロント製品に関する。
【０１１４】
本開示の態様（１０）は、前記基板の前記第２の面は、前記コントラスト層が配置されている第２の部分を有する、態様（１）から（９）までのいずれか１つ記載のデッドフロント製品に関する。
【０１１５】
本開示の態様（１１）は、前記コントラスト層は、白であり、ＩＳＯ  １１４７５：２００４に従って測定された２０Ｗ以上の白色度を有する、態様（１）から（１０）までのいずれか１つ記載のデッドフロント製品に関する。
【０１１６】
本開示の態様（１２）は、前記半透明層は、前記第２の面と前記コントラスト層との間に配置されている、態様（１）から（１１）までのいずれか１つ記載のデッドフロント製品に関する。
【０１１７】
本開示の態様（１３）は、前記半透明層および前記コントラスト層の組合せは、約４００ｎｍ〜約７００ｎｍの波長範囲にわたって約５％〜約３０％の範囲の平均光透過率を有する、態様（１）から（１２）までのいずれか１つ記載のデッドフロント製品に関する。
【０１１８】
本開示の態様（１４）は、約４００ｎｍ〜約７００ｎｍの波長範囲にわたって約５％〜約１０％の範囲の平均光透過率を有する、態様（１）から（１３）までのいずれか１つ記載のデッドフロント製品に関する。
【０１１９】
本開示の態様（１５）は、前記コントラスト層の少なくとも一部に配置された高光学濃度層をさらに備え、前記コントラスト層が、前記高光学濃度層と前記半透明層との間に配置されている、態様（１）から（１４）までのいずれか１つ記載のデッドフロント製品に関する。
【０１２０】
本開示の態様（１６）は、前記高光学濃度層は、グラフィックまたはロゴの少なくとも一部を形成するように前記コントラスト層に配置されている、態様（１５）記載のデッドフロント製品に関する。
【０１２１】
本開示の態様（１７）は、前記グラフィックまたは前記ロゴの領域に配置されたカラー層をさらに備え、前記高光学濃度層によって形成された前記グラフィックまたは前記ロゴの少なくとも一部において、前記コントラスト層は、前記半透明層と前記カラー層との間に配置されている、態様（１６）記載のデッドフロント製品に関する。
【０１２２】
本開示の態様（１８）は、前記コントラスト層は、０．９〜２．０の第１の光学濃度を有する、態様（１５）から（１７）までのいずれか１つ記載のデッドフロント製品に関する。
【０１２３】
本開示の態様（１９）は、前記高光学濃度層は、第２の光学濃度を有し、前記半透明層は、第３の光学濃度を有し、前記第１の光学濃度、前記第２の光学濃度および前記第３の光学濃度は合わせて、少なくとも３．４である、態様（１８）記載のデッドフロント製品に関する。
【０１２４】
本開示の態様（２０）は、前記第２の光学濃度は、少なくとも２．４である、態様（１９）記載のデッドフロント製品に関する。
【０１２５】
本開示の態様（２１）は、前記第２の光学濃度は、少なくとも３である、態様（２０）記載のデッドフロント製品に関する。
【０１２６】
本開示の態様（２２）は、前記カラー層は、０．３〜０．７の第４の光学濃度を有する、態様（１９）から（２１）までのいずれか１つ記載のデッドフロント製品に関する。
【０１２７】
本開示の態様（２３）は、少なくとも１つの領域において、前記第１の光学濃度および前記第３の光学濃度は合わせて、１．０〜２．１である、態様（１９）から（２２）までのいずれか１つ記載のデッドフロント製品に関する。
【０１２８】
本開示の態様（２４）は、少なくとも１つの領域において、前記第１の光学濃度および前記第３の光学濃度は合わせて、１．２〜１．６である、態様（２３）記載のデッドフロント製品に関する。
【０１２９】
本開示の態様（２５）は、前記基板は、ガラス基板を含み、０．０５ｍｍ〜２ｍｍの範囲の、前記第１の面と前記第２の面との間の平均厚さを有する、態様（１）から（２４）までのいずれか１つ記載のデッドフロント製品に関する。
【０１３０】
本開示の態様（２６）は、前記基板の前記第１の面は、眩惑防止面を含む、態様（１）から（２５）までのいずれか１つ記載のデッドフロント製品に関する。
【０１３１】
本開示の態様（２７）は、前記基板の前記第１の面に配置された機能層をさらに備える、態様（１）から（２６）までのいずれか１つ記載のデッドフロント製品に関する。
【０１３２】
本開示の態様（２８）は、前記機能層は、５ｎｍ〜６００ｎｍの平均厚さを有する、態様（２７）記載のデッドフロント製品に関する。
【０１３３】
本開示の態様（２９）は、前記機能層は、眩惑防止層、引掻抵抗層、反射防止層、ハーフミラー層または清掃容易層である、態様（２７）または（２８）記載のデッドフロント製品に関する。
【０１３４】
本開示の態様（３０）は、前記基板は、強化ガラス材料から形成されている、態様（１）から（２９）までのいずれか１つ記載のデッドフロント製品に関する。
【０１３５】
本開示の態様（３１）は、前記基板は、第１の曲率半径を有するように湾曲させられている、態様（１）から（３０）までのいずれか１つ記載のデッドフロント製品に関する。
【０１３６】
本開示の態様（３２）は、前記第１の曲率半径は、約６０ｍｍ〜約１５００ｍｍの範囲にある、態様（３１）記載のデッドフロント製品に関する。
【０１３７】
本開示の態様（３３）は、前記基板は、前記第１の曲率半径と異なる第２の曲率半径を有する、態様（３１）または（３２）記載のデッドフロント製品に関する。
【０１３８】
本開示の態様（３４）は、前記基板は、湾曲した形状に冷間成形されている、態様（３１）から（３３）までのいずれか１つ記載のデッドフロント製品に関する。
【０１３９】
本開示の態様（３５）は、前記第１の面と前記第２の面との間で測定された前記基板の最大厚さは、１．５ｍｍ以下である、態様（１）から（３４）までのいずれか１つ記載のデッドフロント製品に関する。
【０１４０】
本開示の態様（３６）は、前記第１の面と前記第２の面との間で測定された前記基板の最大厚さは、０．３ｍｍ〜０．７ｍｍである、態様（１）から（３５）までのいずれか１つ記載のデッドフロント製品に関する。
【０１４１】
本開示の態様（３７）は、前記基板は、約５ｃｍ〜約２５０ｃｍの範囲にある幅および約５ｃｍ〜約２５０ｃｍである長さを有する、態様（１）から（３６）までのいずれか１つ記載のデッドフロント製品に関する。
【０１４２】
本開示の態様（３８）は、装置であって、
デッドフロント製品であって、
基板と、
該基板の第１の面に配置された半透明層と、
該半透明層の少なくとも一部に配置されたコントラスト層と、
少なくとも１つのアイコンを少なくとも部分的に形成する、前記コントラスト層の少なくとも一部に配置された高光学濃度層と、を有するデッドフロント製品と、
使用者による接触に応答するように構成された、前記少なくとも１つのアイコンの背後に配置されたタッチパネルと、
を備える、装置に関する。
【０１４３】
本開示の態様（３９）は、前記タッチパネルは、光学的にクリアな接着剤を使用して前記少なくとも１つのアイコンの背後に積層されている、態様（３８）記載の装置に関する。
【０１４４】
本開示の態様（４０）は、前記タッチパネルは、前記少なくとも１つのアイコンの背後に印刷されている、態様（３８）記載の装置に関する。
【０１４５】
本開示の態様（４１）は、前記基板は、前記第１の面と反対側の第２の面を有し、前記第１の面および前記第２の面は、前記基板の厚さを規定しており、前記第２の面の領域は、前記少なくとも１つのアイコンの触覚的または視覚的な表示を提供するように変更されている、態様（３８）から（４０）までのいずれか１つ記載の装置に関する。
【０１４６】
本開示の態様（４２）は、前記領域は、前記第２の面の周囲の領域より大きい表面粗さを有する、態様（４１）記載の装置に関する。
【０１４７】
本開示の態様（４３）は、前記基板の厚さは、前記領域においてより大きい、態様（４１）記載の装置に関する。
【０１４８】
本開示の態様（４４）は、前記基板の厚さは、前記領域においてより小さい、態様（４１）記載の装置に関する。
【０１４９】
本開示の態様（４５）は、前記領域は、前記第２の面の周囲の領域と異なる眩惑防止処理を有する、態様（４１）記載の装置に関する。
【０１５０】
本開示の態様（４６）は、前記半透明層は、単色の領域または２つ以上の色のデザインの領域を有する、態様（３８）から（４５）までのいずれか１つ記載の装置に関する。
【０１５１】
本開示の態様（４７）は、前記領域は、２つ以上の色のデザインを有し、該デザインは、革シボパターン、木目調パターン、織物パターン、ブラシ研磨金属仕上げパターン、グラフィックまたはロゴのうちの少なくとも１つである、態様（４６）記載の装置に関する。
【０１５２】
本開示の態様（４８）は、前記コントラスト層は、白またはグレーである、態様（３８）から（４７）までのいずれか１つ記載の装置に関する。
【０１５３】
本開示の態様（４９）は、前記コントラスト層は、０．９〜２．０の第１の光学濃度を有する、態様（３８）から（４８）までのいずれか１つ記載の装置に関する。
【０１５４】
本開示の態様（５０）は、前記高光学濃度層は、第２の光学濃度を有し、該第２の光学濃度は、少なくとも２．４である、態様（４９）記載の装置に関する。
【０１５５】
本開示の態様（５１）は、前記第２の光学濃度は、少なくとも３である、態様（５０）記載の装置に関する。
【０１５６】
本開示の態様（５２）は、前記アイコンの領域に配置されたカラー層をさらに備え、前記高光学濃度層によって形成された前記アイコンの少なくとも一部において、前記コントラスト層は、前記半透明層と前記カラー層との間に配置されている、態様（３８）から（５１）までのいずれか１つ記載の装置に関する。
【０１５７】
本開示の態様（５３）は、前記カラー層は、０．３〜０．７の第３の光学濃度を有する、態様（５２）記載の装置に関する。
【０１５８】
本開示の態様（５４）は、前記コントラスト層は、０．９〜２．０の第１の光学濃度を有し、前記半透明層は、第４の光学濃度を有し、少なくとも１つのアイコンの領域において、前記第１の光学濃度および前記第４の光学濃度は合わせて、１．０〜２．１である、態様（３８）から（５３）までのいずれか１つ記載の装置に関する。
【０１５９】
本開示の態様（５５）は、前記少なくとも１つのアイコンの領域において、前記第１の光学濃度および前記第４の光学濃度は合わせて、１．２〜１．６である、態様（５４）記載の装置に関する。
【０１６０】
本開示の態様（５６）は、作動させられたときに触覚的フィードバックを提供するように構成された振動モータをさらに備える、態様（３８）から（５５）までのいずれか１つ記載の装置に関する。
【０１６１】
本開示の態様（５７）は、前記振動モータは、前記基板に前記使用者が触れたとき触覚的フィードバックを提供する、態様（５６）記載の装置に関する。
【０１６２】
本開示の態様（５８）は、前記基板の、前記第１の面と同じ側に配置されたダイナミックディスプレイをさらに備える、態様（３８）から（５７）までのいずれか１つ記載の装置に関する。
【０１６３】
本開示の態様（５９）は、前記ダイナミックディスプレイは、ＯＬＥＤディスプレイ、ＬＣＤディスプレイ、ＬＥＤディスプレイまたはＤＬＰ  ＭＥＭＳチップのうちの少なくとも１つを含む、態様（５８）記載の装置に関する。
【０１６４】
本開示の態様（６０）は、前記少なくとも１つのアイコンのうちの１つのアイコンは、ＩＥＣ  ６０４１７−５００７、ＩＥＣ  ６０４１７−５００８、ＩＥＣ  ６０４１７−５００９およびＩＥＣ  ６０４１７−５０１０のうちの１つによる電源シンボルである、態様（３８）から（５９）までのいずれか１つ記載の装置に関する。
【０１６５】
本開示の態様（６１）は、前記装置は、車両ダッシュボード、車両センターコンソール、車両空調またはラジオ制御パネルまたは車両乗員エンターテインメントパネルに配置されている、態様（３８）から（６０）までのいずれか１つ記載の装置に関する。
【０１６６】
本開示の態様（６２）は、前記基板は、強化ガラス材料を含み、０．０５ｍｍ〜２ｍｍの範囲の、前記第１の面と、該第１の面と反対側の第２の面との間の平均厚さを有する、態様（３８）から（６１）までのいずれか１つ記載の装置に関する。
【０１６７】
本開示の態様（６３）は、前記基板は、前記第１の面および前記第２の面のうちの少なくとも一方に沿って、６０ｍｍ〜１５００ｍｍの曲率半径を有する、態様（６２）記載の装置に関する。
【０１６８】
本開示の態様（６４）は、光源をさらに備え、前記デッドフロント製品は、前記光源上に配置されている、態様（３８）から（６３）までのいずれか１つ記載の装置に関する。
【０１６９】
本開示の態様（６５）は、前記使用者の接触に応答して、前記光源は、前記アイコンの色を変化させる、態様（６４）記載の装置に関する。
【０１７０】
本開示の態様（６６）は、湾曲したデッドフロント製品を形成する方法であって、
湾曲した面を有する支持体においてデッドフロント製品を湾曲させるステップであって、前記デッドフロント製品は、
ガラス層と、
単色の領域または２つ以上の色のデザインの領域を有する、前記ガラス層の第１の面に配置された半透明層と、
前記領域の少なくとも一部に配置されたコントラスト層であって、前記領域の色の可視性を高めるようにまたは前記コントラスト層が配置されている前記領域の部分における前記領域のデザインの色間のコントラストを高めるように構成されているコントラスト層と、を有する、ステップと、
前記デッドフロント製品が前記支持体の前記湾曲した面の湾曲した形状に一致するように、前記湾曲したデッドフロント製品を前記支持体に固定するステップと、
を含み、
前記デッドフロント製品を湾曲させかつ固定する間、前記デッドフロント製品の最大温度は、前記ガラス層のガラス転移温度未満である、
方法に関する。
【０１７１】
本開示の態様（６７）は、前記湾曲したデッドフロント製品を固定するステップは、
前記支持体の前記湾曲した面と前記デッドフロント製品の面との間に接着剤を提供するステップと、
力を加えている間に前記接着剤によって前記デッドフロント製品をフレームの支持面に結合するステップと、
を含む、態様（６６）記載の方法に関する。
【０１７２】
本開示の態様（６８）は、前記ガラス層は、強化されている、態様（６６）または（６７）記載の方法に関する。
【０１７３】
本開示の態様（６９）は、前記ガラス層は、前記第１の面と反対側の第２の面を有し、前記第１の面と前記第２の面との間で測定された前記ガラス層の最大厚さは、１．５ｍｍ以下である、態様（６８）記載の方法に関する。
【０１７４】
本開示の態様（７０）は、前記デッドフロント製品を湾曲させかつ固定する間、前記デッドフロント製品の最大温度は、２００℃未満である、態様（６６）から（６９）までのいずれか１つ記載の方法に関する。
【０１７５】
本開示の態様（７１）は、前記デッドフロント製品は、前記コントラスト層の少なくとも一部に配置された高光学濃度層をさらに備える、態様（６６）から（７０）までのいずれか１つ記載の方法に関する。
【０１７６】
本開示の態様（７２）は、前記デッドフロント製品は、前記コントラスト層または前記高光学濃度層のうちの少なくとも一方に配置されたタッチパネルをさらに備える、態様（６６）から（７１）までのいずれか１つ記載の方法に関する。
【０１７７】
本開示の態様（７３）は、前記コントラスト層は、０．９〜２．０の第１の光学濃度を有する、態様（６６）から（７２）までのいずれか１つ記載の方法に関する。
【０１７８】
本開示の態様（７４）は、前記高光学濃度層は、少なくとも２．４の第２の光学濃度を有する、態様（７１）から（７３）までのいずれか１つ記載の方法に関する。
【０１７９】
本開示の態様（７５）は、前記第２の光学濃度は、少なくとも３である、態様（７４）記載の方法に関する。
【０１８０】
本開示の態様（７６）は、前記高光学濃度層および前記コントラスト層は一緒に、少なくとも１つのアイコンを形成している、態様（７１）から（７５）までのいずれか１つ記載の方法に関する。
【０１８１】
本開示の態様（７７）は、前記デッドフロント製品は、前記少なくとも１つのアイコンの領域に配置されたカラー層をさらに備え、前記高光学濃度層によって形成された前記少なくとも１つのアイコンの少なくとも一部において、前記コントラスト層は、前記半透明層と前記カラー層との間に配置されている、態様（７６）記載の方法に関する。
【０１８２】
本開示の態様（７８）は、前記カラー層は、０．３〜０．７の第３の光学濃度を有する、態様（７７）記載の方法に関する。
【０１８３】
本開示の態様（７９）は、前記半透明層は、第４の光学濃度を有し、前記第１の光学濃度および前記第４の光学濃度は合わせて、１．０〜２．１である、態様（７３）記載の方法に関する。
【０１８４】
本開示の態様（８０）は、前記第１の光学濃度および前記第４の光学濃度は合わせて、１．２〜１．６である、態様（７９）記載の方法に関する。
【０１８５】
明示的に別段の定めがないかぎり、本明細書に示されたいずれの方法も、そのステップが特定の順序で行われることを要求すると解されることは意図されていない。したがって、方法の請求項が、そのステップが従うべき順序を実際には列挙していない場合、またはステップが特定の順序に限定されるべきであることが請求項または詳細な説明において別段に特に述べられていない場合、いかなる特定の順序が推定されることも意図されていない。加えて、本明細書において使用されるとき、冠詞「a」は、１つまたは２つ以上の構成要素またはエレメントを含むことが意図されており、１つのみを意味すると解されることは意図されていない。
【０１８６】
開示された実施形態の思想または範囲から逸脱することなく、様々な改良および変更を行うことができることが当業者に明らかになるであろう。実施形態の思想および実質を組み込んだ、開示された実施形態の改良、組合せ、サブコンビネーションおよび変化態様が当業者に想起されることもあるので、開示された実施形態は、添付の請求項およびそれらの均等物の範囲内の全てを包含すると解すべきである。
【０１８７】
以下、本発明の好ましい実施形態を項分け記載する。
【０１８８】
実施形態１  
デッドフロント製品であって、
基板であって、第１の面と、該第１の面と反対側の第２の面とを有する基板と、
単色の領域または２つ以上の色のデザインの領域を有する、前記基板の前記第２の面の少なくとも第１の部分に配置された半透明層と、
前記領域の少なくとも一部に配置されたコントラスト層であって、前記領域の色の可視性を高めるようにまたは前記コントラスト層が配置されている前記領域の部分における前記領域のデザインの色間のコントラストを高めるように構成されているコントラスト層と、
を備える、デッドフロント製品。
【０１８９】
実施形態２  
前記領域は、２つ以上の色のデザインを有し、該デザインは、革シボパターン、木目調パターン、織物パターン、ブラシ研磨金属仕上げパターン、グラフィックまたはロゴのうちの少なくとも１つである、実施形態１記載のデッドフロント製品。
【０１９０】
実施形態３  
前記半透明層は、印刷された半透明層を含む、実施形態１または２記載のデッドフロント製品。
【０１９１】
実施形態４  
前記半透明層は、最大で６μｍの平均厚さを有する、実施形態１から３までのいずれか１つ記載のデッドフロント製品。
【０１９２】
実施形態５  
前記半透明層は、少なくとも１μｍの平均厚さを有する、実施形態１から４までのいずれか１つ記載のデッドフロント製品。
【０１９３】
実施形態６  
前記半透明層は、ＣＭＹＫ色モデルを使用してインクジェットプリンタによって前記基板の前記第２の面に印刷されている、実施形態１から５までのいずれか１つ記載のデッドフロント製品。
【０１９４】
実施形態７  
前記コントラスト層の色は、白またはグレーである、実施形態１から６までのいずれか１つ記載のデッドフロント製品。
【０１９５】
実施形態８  
前記コントラスト層は、最大で６μｍの平均厚さを有する、実施形態１から７までのいずれか１つ記載のデッドフロント製品。
【０１９６】
実施形態９  
前記コントラスト層は、少なくとも１μｍの平均厚さを有する、実施形態１から８までのいずれか１つ記載のデッドフロント製品。
【０１９７】
実施形態１０  
前記基板の前記第２の面は、前記コントラスト層が配置されている第２の部分を有する、実施形態１から９までのいずれか１つ記載のデッドフロント製品。
【０１９８】
実施形態１１  
前記コントラスト層は、白であり、ＩＳＯ  １１４７５：２００４に従って測定された２０Ｗ以上の白色度を有する、実施形態１から１０までのいずれか１つ記載のデッドフロント製品。
【０１９９】
実施形態１２  
前記半透明層は、前記第２の面と前記コントラスト層との間に配置されている、実施形態１から１１までのいずれか１つ記載のデッドフロント製品。
【０２００】
実施形態１３  
前記半透明層および前記コントラスト層の組合せは、約４００ｎｍ〜約７００ｎｍの波長範囲にわたって約５％〜約３０％の範囲の平均光透過率を有する、実施形態１から１２までのいずれか１つ記載のデッドフロント製品。
【０２０１】
実施形態１４  
約４００ｎｍ〜約７００ｎｍの波長範囲にわたって約５％〜約１０％の範囲の平均光透過率を有する、実施形態１から１３までのいずれか１つ記載のデッドフロント製品。
【０２０２】
実施形態１５  
前記コントラスト層の少なくとも一部に配置された高光学濃度層をさらに備え、前記コントラスト層が、前記高光学濃度層と前記半透明層との間に配置されている、実施形態１から１４までのいずれか１つ記載のデッドフロント製品。
【０２０３】
実施形態１６  
前記高光学濃度層は、グラフィックまたはロゴの少なくとも一部を形成するように前記コントラスト層に配置されている、実施形態１５記載のデッドフロント製品。
【０２０４】
実施形態１７  
前記グラフィックまたは前記ロゴの領域に配置されたカラー層をさらに備え、前記高光学濃度層によって形成された前記グラフィックまたは前記ロゴの少なくとも一部において、前記コントラスト層は、前記半透明層と前記カラー層との間に配置されている、実施形態１６記載のデッドフロント製品。
【０２０５】
実施形態１８  
前記コントラスト層は、０．９〜２．０の第１の光学濃度を有する、実施形態１５から１７までのいずれか１つ記載のデッドフロント製品。
【０２０６】
実施形態１９  
前記高光学濃度層は、第２の光学濃度を有し、前記半透明層は、第３の光学濃度を有し、前記第１の光学濃度、前記第２の光学濃度および前記第３の光学濃度は合わせて、少なくとも３．４である、実施形態１８記載のデッドフロント製品。
【０２０７】
実施形態２０  
前記第２の光学濃度は、少なくとも２．４である、実施形態１９記載のデッドフロント製品。
【０２０８】
実施形態２１  
前記第２の光学濃度は、少なくとも３である、実施形態２０記載のデッドフロント製品。
【０２０９】
実施形態２２  
前記カラー層は、０．３〜０．７の第４の光学濃度を有する、実施形態１９から２１までのいずれか１つ記載のデッドフロント製品。
【０２１０】
実施形態２３  
少なくとも１つの領域において、前記第１の光学濃度および前記第３の光学濃度は合わせて、１．０〜２．１である、実施形態１９から２２までのいずれか１つ記載のデッドフロント製品。
【０２１１】
実施形態２４  
少なくとも１つの領域において、前記第１の光学濃度および前記第３の光学濃度は合わせて、１．２〜１．６である、実施形態２３記載のデッドフロント製品。
【０２１２】
実施形態２５  
前記基板は、ガラス基板を含み、０．０５ｍｍ〜２ｍｍの範囲の、前記第１の面と前記第２の面との間の平均厚さを有する、実施形態１から２４までのいずれか１つ記載のデッドフロント製品。
【０２１３】
実施形態２６  
前記基板の前記第１の面は、眩惑防止面を含む、実施形態１から２５までのいずれか１つ記載のデッドフロント製品。
【０２１４】
実施形態２７  
前記基板の前記第１の面に配置された機能層をさらに備える、実施形態１から２６までのいずれか１つ記載のデッドフロント製品。
【０２１５】
実施形態２８  
前記機能層は、５ｎｍ〜６００ｎｍの平均厚さを有する、実施形態２７記載のデッドフロント製品。
【０２１６】
実施形態２９  
前記機能層は、眩惑防止層、引掻抵抗層、反射防止層、ハーフミラー層または清掃容易層である、実施形態２７または２８記載のデッドフロント製品。
【０２１７】
実施形態３０  
前記基板は、強化ガラス材料から形成されている、実施形態１から２９までのいずれか１つ記載のデッドフロント製品。
【０２１８】
実施形態３１  
前記基板は、第１の曲率半径を有するように湾曲させられている、実施形態１から３０までのいずれか１つ記載のデッドフロント製品。
【０２１９】
実施形態３２  
前記第１の曲率半径は、約６０ｍｍ〜約１５００ｍｍの範囲にある、実施形態３１記載のデッドフロント製品。
【０２２０】
実施形態３３  
前記基板は、前記第１の曲率半径と異なる第２の曲率半径を有する、実施形態３１または３２記載のデッドフロント製品。
【０２２１】
実施形態３４  
前記基板は、湾曲した形状に冷間成形されている、実施形態３１から３３までのいずれか１つ記載のデッドフロント製品。
【０２２２】
実施形態３５  
前記第１の面と前記第２の面との間で測定された前記基板の最大厚さは、１．５ｍｍ以下である、実施形態１から３４までのいずれか１つ記載のデッドフロント製品。
【０２２３】
実施形態３６  
前記第１の面と前記第２の面との間で測定された前記基板の最大厚さは、０．３ｍｍ〜０．７ｍｍである、実施形態１から３５までのいずれか１つ記載のデッドフロント製品。
【０２２４】
実施形態３７  
前記基板は、約５ｃｍ〜約２５０ｃｍの範囲にある幅および約５ｃｍ〜約２５０ｃｍである長さを有する、実施形態１から３６までのいずれか１つ記載のデッドフロント製品。
【０２２５】
実施形態３８  
装置であって、
デッドフロント製品であって、
基板と、
該基板の第１の面に配置された半透明層と、
該半透明層の少なくとも一部に配置されたコントラスト層と、
少なくとも１つのアイコンを少なくとも部分的に形成する、前記コントラスト層の少なくとも一部に配置された高光学濃度層と、を有するデッドフロント製品と、
使用者による接触に応答するように構成された、前記少なくとも１つのアイコンの背後に配置されたタッチパネルと、
を備える、装置。
【０２２６】
実施形態３９  
前記タッチパネルは、光学的にクリアな接着剤を使用して前記少なくとも１つのアイコンの背後に積層されている、実施形態３８記載の装置。
【０２２７】
実施形態４０  
前記タッチパネルは、前記少なくとも１つのアイコンの背後に印刷されている、実施形態３８記載の装置。
【０２２８】
実施形態４１  
前記基板は、前記第１の面と反対側の第２の面を有し、前記第１の面および前記第２の面は、前記基板の厚さを規定しており、前記第２の面の領域は、前記少なくとも１つのアイコンの触覚的または視覚的な表示を提供するように変更されている、実施形態３８から４０までのいずれか１つ記載の装置。
【０２２９】
実施形態４２  
前記領域は、前記第２の面の周囲の領域より大きい表面粗さを有する、実施形態４１記載の装置。
【０２３０】
実施形態４３  
前記基板の厚さは、前記領域においてより大きい、実施形態４１記載の装置。
【０２３１】
実施形態４４  
前記基板の厚さは、前記領域においてより小さい、実施形態４１記載の装置。
【０２３２】
実施形態４５  
前記領域は、前記第２の面の周囲の領域と異なる眩惑防止処理を有する、実施形態４１記載の装置。
【０２３３】
実施形態４６  
前記半透明層は、単色の領域または２つ以上の色のデザインの領域を有する、実施形態３８から４５までのいずれか１つ記載の装置。
【０２３４】
実施形態４７  
前記領域は、２つ以上の色のデザインを有し、該デザインは、革シボパターン、木目調パターン、織物パターン、ブラシ研磨金属仕上げパターン、グラフィックまたはロゴのうちの少なくとも１つである、実施形態４６記載の装置。
【０２３５】
実施形態４８  
前記コントラスト層は、白またはグレーである、実施形態３８から４７までのいずれか１つ記載の装置。
【０２３６】
実施形態４９  
前記コントラスト層は、０．９〜２．０の第１の光学濃度を有する、実施形態３８から４８までのいずれか１つ記載の装置。
【０２３７】
実施形態５０  
前記高光学濃度層は、第２の光学濃度を有し、該第２の光学濃度は、少なくとも２．４である、実施形態４９記載の装置。
【０２３８】
実施形態５１  
前記第２の光学濃度は、少なくとも３である、実施形態５０記載の装置。
【０２３９】
実施形態５２  
前記アイコンの領域に配置されたカラー層をさらに備え、前記高光学濃度層によって形成された前記アイコンの少なくとも一部において、前記コントラスト層は、前記半透明層と前記カラー層との間に配置されている、実施形態３８から５１までのいずれか１つ記載の装置。
【０２４０】
実施形態５３  
前記カラー層は、０．３〜０．７の第３の光学濃度を有する、実施形態５２記載の装置。
【０２４１】
実施形態５４  
前記コントラスト層は、０．９〜２．０の第１の光学濃度を有し、前記半透明層は、第４の光学濃度を有し、少なくとも１つのアイコンの領域において、前記第１の光学濃度および前記第４の光学濃度は合わせて、１．０〜２．１である、実施形態３８から５３までのいずれか１つ記載の装置。
【０２４２】
実施形態５５  
前記少なくとも１つのアイコンの領域において、前記第１の光学濃度および前記第４の光学濃度は合わせて、１．２〜１．６である、実施形態５４記載の装置。
【０２４３】
実施形態５６  
作動させられたときに触覚的フィードバックを提供するように構成された振動モータをさらに備える、実施形態３８から５５までのいずれか１つ記載の装置。
【０２４４】
実施形態５７  
前記振動モータは、前記基板に前記使用者が触れたとき触覚的フィードバックを提供する、実施形態５６記載の装置。
【０２４５】
実施形態５８  
前記基板の、前記第１の面と同じ側に配置されたダイナミックディスプレイをさらに備える、実施形態３８から５７までのいずれか１つ記載の装置。
【０２４６】
実施形態５９  
前記ダイナミックディスプレイは、ＯＬＥＤディスプレイ、ＬＣＤディスプレイ、ＬＥＤディスプレイまたはＤＬＰ  ＭＥＭＳチップのうちの少なくとも１つを含む、実施形態５８記載の装置。
【０２４７】
実施形態６０  
前記少なくとも１つのアイコンのうちの１つのアイコンは、ＩＥＣ  ６０４１７−５００７、ＩＥＣ  ６０４１７−５００８、ＩＥＣ  ６０４１７−５００９およびＩＥＣ  ６０４１７−５０１０のうちの１つによる電源シンボルである、実施形態３８から５９までのいずれか１つ記載の装置。
【０２４８】
実施形態６１  
前記装置は、車両ダッシュボード、車両センターコンソール、車両空調またはラジオ制御パネルまたは車両乗員エンターテインメントパネルに配置されている、実施形態３８から６０までのいずれか１つ記載の装置。
【０２４９】
実施形態６２  
前記基板は、強化ガラス材料を含み、０．０５ｍｍ〜２ｍｍの範囲の、前記第１の面と、該第１の面と反対側の第２の面との間の平均厚さを有する、実施形態３８から６１までのいずれか１つ記載の装置。
【０２５０】
実施形態６３  
前記基板は、前記第１の面および前記第２の面のうちの少なくとも一方に沿って、６０ｍｍ〜１５００ｍｍの曲率半径を有する、実施形態６２記載の装置。
【０２５１】
実施形態６４  
光源をさらに備え、前記デッドフロント製品は、前記光源上に配置されている、実施形態３８から６３までのいずれか１つ記載の装置。
【０２５２】
実施形態６５  
前記使用者の接触に応答して、前記光源は、前記アイコンの色を変化させる、実施形態６４記載の装置。
【０２５３】
実施形態６６  
湾曲したデッドフロント製品を形成する方法であって、
湾曲した面を有する支持体においてデッドフロント製品を湾曲させるステップであって、前記デッドフロント製品は、
ガラス層と、
単色の領域または２つ以上の色のデザインの領域を有する、前記ガラス層の第１の面に配置された半透明層と、
前記領域の少なくとも一部に配置されたコントラスト層であって、前記領域の色の可視性を高めるようにまたは前記コントラスト層が配置されている前記領域の部分における前記領域のデザインの色間のコントラストを高めるように構成されているコントラスト層と、を有する、ステップと、
前記デッドフロント製品が前記支持体の前記湾曲した面の湾曲した形状に一致するように、前記湾曲したデッドフロント製品を前記支持体に固定するステップと、
を含み、
前記デッドフロント製品を湾曲させかつ固定する間、前記デッドフロント製品の最大温度は、前記ガラス層のガラス転移温度未満である、
方法。
【０２５４】
実施形態６７  
前記湾曲したデッドフロント製品を固定するステップは、
前記支持体の前記湾曲した面と前記デッドフロント製品の面との間に接着剤を提供するステップと、
力を加えている間に前記接着剤によって前記デッドフロント製品をフレームの支持面に結合するステップと、
を含む、実施形態６６記載の方法。
【０２５５】
実施形態６８  
前記ガラス層は、強化されている、実施形態６６または６７記載の方法。
【０２５６】
実施形態６９  
前記ガラス層は、前記第１の面と反対側の第２の面を有し、前記第１の面と前記第２の面との間で測定された前記ガラス層の最大厚さは、１．５ｍｍ以下である、実施形態６８記載の方法。
【０２５７】
実施形態７０  
前記デッドフロント製品を湾曲させかつ固定する間、前記デッドフロント製品の最大温度は、２００℃未満である、実施形態６６から６９までのいずれか１つ記載の方法。
【０２５８】
実施形態７１  
前記デッドフロント製品は、前記コントラスト層の少なくとも一部に配置された高光学濃度層をさらに備える、実施形態６６から７０までのいずれか１つ記載の方法。
【０２５９】
実施形態７２  
前記デッドフロント製品は、前記コントラスト層または前記高光学濃度層のうちの少なくとも一方に配置されたタッチパネルをさらに備える、実施形態６６から７１までのいずれか１つ記載の方法。
【０２６０】
実施形態７３  
前記コントラスト層は、０．９〜２．０の第１の光学濃度を有する、実施形態６６から７２までのいずれか１つ記載の方法。
【０２６１】
実施形態７４  
前記高光学濃度層は、少なくとも２．４の第２の光学濃度を有する、実施形態７１から７３までのいずれか１つ記載の方法。
【０２６２】
実施形態７５  
前記第２の光学濃度は、少なくとも３である、実施形態７４記載の方法。
【０２６３】
実施形態７６  
前記高光学濃度層および前記コントラスト層は一緒に、少なくとも１つのアイコンを形成している、実施形態７１から７５までのいずれか１つ記載の方法。
【０２６４】
実施形態７７  
前記デッドフロント製品は、前記少なくとも１つのアイコンの領域に配置されたカラー層をさらに備え、前記高光学濃度層によって形成された前記少なくとも１つのアイコンの少なくとも一部において、前記コントラスト層は、前記半透明層と前記カラー層との間に配置されている、実施形態７６記載の方法。
【０２６５】
実施形態７８  
前記カラー層は、０．３〜０．７の第３の光学濃度を有する、実施形態７７記載の方法。
【０２６６】
実施形態７９  
前記半透明層は、第４の光学濃度を有し、前記第１の光学濃度および前記第４の光学濃度は合わせて、１．０〜２．１である、実施形態７３記載の方法。
【０２６７】
実施形態８０  
前記第１の光学濃度および前記第４の光学濃度は合わせて、１．２〜１．６である、実施形態７９記載の方法。
【図１】
2020533703.tif 000003
【図２】
2020533703.tif 000004
【図３】
2020533703.tif 000005
【図４】
2020533703.tif 000006
【図５】
2020533703.tif 000007
【図６】
2020533703.tif 000008
【図７】
2020533703.tif 000009
【図８】
2020533703.tif 000010
【図９】
2020533703.tif 000011
【図１０】
2020533703.tif 000012
【図１１】
2020533703.tif 000013
【図１２】
2020533703.tif 000014
【図１３Ａ】
2020533703.tif 000015
【図１３Ｂ】
2020533703.tif 000016
【図１４Ａ】
2020533703.tif 000017
【図１４Ｂ】
2020533703.tif 000018
【図１５】
2020533703.tif 000019
【図１６】
2020533703.tif 000020
【図１７】
2020533703.tif 000021
【図１８】
2020533703.tif 000022
【図１９】
2020533703.tif 000023
【図２０】
2020533703.tif 000024
【図２１】
2020533703.tif 000025
【図２２】
2020533703.tif 000026
【図２３】
2020533703.tif 000027
【図２４】
2020533703.tif 000028
【図２５】
2020533703.tif 000029
【図２６】
2020533703.tif 000030
【図２７】
2020533703.tif 000031
【図２８】
2020533703.tif 000032
【図２９】
2020533703.tif 000033
【図３０】
2020533703.tif 000034
【図３１】
2020533703.tif 000035
【図３２】
2020533703.tif 000036
【図３３】
2020533703.tif 000037
【図３４】
2020533703.tif 000038
【図３５】
2020533703.tif 000039
【図３６】
2020533703.tif 000040
【国際調査報告】
2020533703.tif 000041
2020533703.tif 000042